(57)【特許請求の範囲】
【請求項１】
通信方法であって、
第１のデバイスによって、位相追跡基準信号（ＰＴＲＳ）パターンをスケジュールされた帯域幅に基づいて決定するステップであって、前記ＰＴＲＳパターンは、時間領域において複数の連続しないＰＴＲＳチャンクを含み、前記複数の連続しないＰＴＲＳチャンクの各ＰＴＲＳチャンクは、時間領域において複数の連続するＰＴＲＳサンプルを含み、前記ＰＴＲＳパターンの前記複数の連続しないＰＴＲＳチャンクは、１つのシンボル内にある、決定するステップと、
前記第１のデバイスによって、前記ＰＴＲＳパターンを１つまたは複数のシンボルにマッピングするステップと、
前記１つまたは複数のシンボルを第２のデバイスに送信するステップと
を含む方法。
【請求項２】
１つのシンボル内にある複数のＰＴＲＳチャンクの数は２または４である
請求項１に記載の方法。
【請求項３】
１つのＰＴＲＳチャンクにおけるＰＴＲＳサンプルの数は２または４である
請求項１または２に記載の方法。
【請求項４】
第１のデバイスによって、位相追跡基準信号（ＰＴＲＳ）パターンを決定する前記ステップは、
前記第１のデバイスによって、シンボル内ＰＴＲＳチャンク密度および１つのＰＴＲＳチャンクのＰＴＲＳサンプルの数を、スケジュールされた帯域幅と、シンボル内ＰＴＲＳチャンク密度及びＰＴＲＳサンプルの数の組み合わせとの間の対応関係に基づいて決定するステップと、
前記第１のデバイスによって、前記シンボル内ＰＴＲＳチャンク密度およびＰＴＲＳサンプルの前記数に基づいて、前記ＰＴＲＳパターンを決定するステップ
を特に含む請求項１ないし３のいずれか１項に記載の方法。
【請求項５】
前記第１のデバイスによって、前記シンボル内ＰＴＲＳチャンク密度および前記ＰＴＲＳサンプルの数に基づいて、前記ＰＴＲＳパターンを決定する前記ステップは、
前記第１のデバイスによって、前記シンボル内ＰＴＲＳチャンク密度およびＰＴＲＳサンプルの前記数に基づいて、シンボル内におけるＰＴＲＳチャンクの分配ロケーションを決定するステップと、
前記第１のデバイスによって、前記シンボル内ＰＴＲＳチャンク密度、ＰＴＲＳサンプルの前記数および前記シンボル内におけるＰＴＲＳチャンクの前記分配ロケーションに基づいて、前記ＰＴＲＳパターンを決定するステップ
を含む請求項４に記載の方法。
【請求項６】
前記シンボル内ＰＴＲＳチャンク密度が２であるときに、２つのＰＴＲＳチャンクは前記シンボルの両端に分配される
請求項５に記載の方法。
【請求項７】
前記方法の前に、前記シンボル内ＰＴＲＳチャンク密度、およびＰＴＲＳサンプルの前記数を決定するために使用される情報を、前記第２のデバイスから受信するステップ
をさらに含む請求項４に記載の方法。
【請求項８】
前記第１のデバイスによって、前記ＰＴＲＳパターンを１つまたは複数のシンボルにマッピングし、前記１つまたは複数のシンボルを第２のデバイスに送信する前記ステップは、
前記第１のデバイスによって、前記ＰＴＲＳパターンを、シングルキャリア変調がそれに対して使用される前記１つまたは複数のシンボルにマッピングし、前記１つまたは複数のシンボルを前記第２のデバイスに送信するステップ
を含む、請求項１乃至７のいずれか一項に記載の方法。
【請求項９】
シングルキャリア変調がそれに対して使用される前記１つまたは複数のシンボルは、離散フーリエ変換拡散直交周波数分割多重（ＤＦＴ−Ｓ−ＯＦＤＭ）シンボルである
請求項８に記載の方法。
【請求項１０】
前記スケジュールされた帯域幅が、スケジュールされた帯域幅のしきい値より低い時には、前記ＰＴＲＳパターンはマップされない
請求項１乃至９のいずれか一項に記載の方法。
【請求項１１】
前記第１のデバイスによって、位相ノイズレベル、サブキャリア間隔、および周波数のうちの少なくとも１つに基づいて、スケジュールされた帯域幅の前記しきい値を決定するステップ
をさらに含む請求項１０に記載の方法。
【請求項１２】
処理ユニットと、送受信機ユニットとを備える、通信装置であって、
前記処理ユニットは、スケジュールされた帯域幅に基づいて位相追跡基準信号（ＰＴＲＳ）パターンを決定するように構成され、前記ＰＴＲＳパターンは、時間領域において複数の連続しないＰＴＲＳチャンクを含み、前記複数の連続しないＰＴＲＳチャンクの各ＰＴＲＳチャンクは、時間領域において複数の連続するＰＴＲＳサンプルを含み、前記ＰＴＲＳパターンの前記複数の連続しないＰＴＲＳチャンクは、１つのシンボル内にあり、
前記ＰＴＲＳパターンを１つまたは複数のシンボルにマッピングし、
前記送受信機ユニットは、前記１つまたは複数のシンボルを通信デバイスに送信するように構成される
通信装置。
【請求項１３】
１つのシンボル内にある複数のＰＴＲＳチャンクの数は２または４である
請求項１２に記載の装置。
【請求項１４】
１つのＰＴＲＳチャンクにおけるＰＴＲＳサンプルの数は２または４である
請求項１２または１３に記載の装置。
【請求項１５】
前記処理ユニットは、
シンボル内ＰＴＲＳチャンク密度および１つのＰＴＲＳチャンクのＰＴＲＳサンプルの数を、スケジュールされた帯域幅と、シンボル内ＰＴＲＳチャンク密度及びＰＴＲＳサンプルの数の組み合わせとの間の対応関係に基づいて決定し、
前記シンボル内ＰＴＲＳチャンク密度およびＰＴＲＳサンプルの前記数に基づいて、前記ＰＴＲＳパターンを決定する
ように特に構成されている請求項１２ないし１４のいずれか１項に記載の装置。
【請求項１６】
前記処理ユニットは、
前記シンボル内ＰＴＲＳチャンク密度およびＰＴＲＳサンプルの前記数に基づいて、シンボル内におけるＰＴＲＳチャンクの分配ロケーションを決定し、
前記シンボル内ＰＴＲＳチャンク密度、ＰＴＲＳサンプルの前記数および前記シンボル内におけるＰＴＲＳチャンクの前記分配ロケーションに基づいて、前記ＰＴＲＳパターンを決定する
ように特に構成される請求項１５に記載の装置。
【請求項１７】
前記送受信機ユニットは、前記シンボル内ＰＴＲＳチャンク密度およびＰＴＲＳサンプルの前記数を決定するために使用される情報を、前記通信デバイスから受信する
ようにさらに構成される請求項１５に記載の装置。
【請求項１８】
前記処理ユニットは、
前記ＰＴＲＳパターンを、シングルキャリア変調がそれに対して使用される前記１つまたは複数のシンボルにマッピングする
ように特に構成される請求項１２乃至１７のいずれか一項に記載の装置。
【請求項１９】
シングルキャリア変調がそれに対して使用される前記１つまたは複数のシンボルは、離散フーリエ変換拡散直交周波数分割多重（ＤＦＴ−Ｓ−ＯＦＤＭ）シンボルである請求項１８に記載の装置。
【請求項２０】
前記スケジュールされた帯域幅が、スケジュールされた帯域幅のしきい値より低い時には、前記ＰＴＲＳパターンはマップされない
請求項１２乃至１９のいずれか一項に記載の装置。
【請求項２１】
前記処理ユニットは、
位相ノイズレベル、サブキャリア間隔、および周波数のうちの少なくとも１つに基づいて、スケジュールされた帯域幅の前記しきい値を決定する
ようにさらに構成される請求項２０に記載の装置。
【請求項２２】
通信方法であって、
１つまたは複数のシンボルを受信するステップであって、位相追跡基準信号（ＰＴＲＳ）パターンが前記１つまたは複数のシンボルにマッピングされ、前記ＰＴＲＳパターンは、時間領域において複数の連続しないＰＴＲＳチャンクを含み、各ＰＴＲＳチャンクは、時間領域において複数の連続するＰＴＲＳサンプルを含み、前記ＰＴＲＳパターンの前記複数の連続しないＰＴＲＳチャンクは１つのシンボル内にある、ステップと、
前記１つまたは複数のシンボルから、スケジュールされた帯域幅に基づいて前記ＰＴＲＳパターンを決定するステップと
を含む方法。
【請求項２３】
１つのシンボル内にある複数のＰＴＲＳチャンクの数は２または４である
請求項２２に記載の方法。
【請求項２４】
１つのＰＴＲＳチャンクにおけるＰＴＲＳサンプルの数は２または４である
請求項２２または２３に記載の方法。
【請求項２５】
前記１つまたは複数のシンボルから、前記ＰＴＲＳパターンを決定する前記ステップは、
シンボル内ＰＴＲＳチャンク密度および１つのＰＴＲＳチャンクのＰＴＲＳサンプルの数を、スケジュールされた帯域幅と、シンボル内ＰＴＲＳチャンク密度及びＰＴＲＳサンプルの数の組み合わせとの間の対応関係に基づいて決定するステップと、
前記シンボル内ＰＴＲＳチャンク密度およびＰＴＲＳサンプルの前記数に基づいて、前記ＰＴＲＳパターンを決定するステップ
を特に含む請求項２２ないし２４のいずれか１項に記載の方法。
【請求項２６】
前記シンボル内ＰＴＲＳチャンク密度およびＰＴＲＳサンプルの前記数に基づいて、前記ＰＴＲＳパターンを決定する前記ステップは、
前記シンボル内ＰＴＲＳチャンク密度および前記ＰＴＲＳサンプルの数に基づいて、シンボル内におけるＰＴＲＳチャンクの分配ロケーションを決定するステップと、
前記シンボル内ＰＴＲＳチャンク密度、ＰＴＲＳサンプルの前記数および前記シンボル内におけるＰＴＲＳチャンクの前記分配ロケーションに基づいて、前記ＰＴＲＳパターンを決定するステップ
を特に含む請求項２５に記載の方法。
【請求項２７】
前記シンボル内ＰＴＲＳチャンク密度が２であるときに、２つのＰＴＲＳチャンクは前記シンボルの両端に分配される
請求項２６に記載の方法。
【請求項２８】
前記シンボル内ＰＴＲＳチャンク密度、およびＰＴＲＳサンプルの前記数を決定するために使用される情報を送信するステップ
をさらに含む請求項２５に記載の方法。
【請求項２９】
前記１つまたは複数のシンボルは、離散フーリエ変換拡散直交周波数分割多重（ＤＦＴ−Ｓ−ＯＦＤＭ）シンボルである請求項２２乃至２８のいずれか一項に記載の方法。
【請求項３０】
位相ノイズレベル、サブキャリア間隔、および周波数のうちの少なくとも１つに基づいて、スケジュールされた帯域幅のしきい値を決定するステップ
をさらに含む請求項２２に記載の方法。
【請求項３１】
前記位相ノイズレベル、前記サブキャリア間隔、および前記周波数のうちの前記少なくとも１つを、端末から受信するステップ
をさらに含む請求項３０に記載の方法。
【請求項３２】
１つまたは複数のシンボルを受信するように構成された送受信機ユニットであって、位相追跡基準信号（ＰＴＲＳ）パターンが、前記１つまたは複数のシンボルにマッピングされ、前記ＰＴＲＳパターンは、時間領域において複数の連続しないＰＴＲＳチャンクを含み、各ＰＴＲＳチャンクは、時間領域において複数の連続するＰＴＲＳサンプルを含み、前記ＰＴＲＳパターンの前記複数の連続しないＰＴＲＳチャンクは、１つのシンボル内にある、送受信機ユニットと、
前記１つまたは複数のシンボルから、スケジュールされた帯域幅に基づいて前記ＰＴＲＳパターンを決定するように構成された処理ユニットと
を備える通信装置。
【請求項３３】
１つのシンボル内にある複数のＰＴＲＳチャンクの数は２または４である
請求項３２に記載の通信装置。
【請求項３４】
１つのＰＴＲＳチャンクにおけるＰＴＲＳサンプルの数は２または４である
請求項３２または３３に記載の通信装置。
【請求項３５】
前記処理ユニットは、
シンボル内ＰＴＲＳチャンク密度および１つのＰＴＲＳチャンクのＰＴＲＳサンプルの数を、スケジュールされた帯域幅と、シンボル内ＰＴＲＳチャンク密度及びＰＴＲＳサンプルの数の組み合わせとの間の対応関係に基づいて決定し、
前記シンボル内ＰＴＲＳチャンク密度およびＰＴＲＳサンプルの前記数に基づいて、前記ＰＴＲＳパターンを決定する
ように構成される請求項３２ないし３４のいずれか１項に記載の通信装置。
【請求項３６】
前記処理ユニットは、
前記シンボル内ＰＴＲＳチャンク密度およびＰＴＲＳサンプルの前記数に基づいて、シンボル内におけるＰＴＲＳチャンクの分配ロケーションを決定し、
前記シンボル内ＰＴＲＳチャンク密度、ＰＴＲＳサンプルの前記数および前記シンボル内におけるＰＴＲＳチャンクの前記分配ロケーションに基づいて、前記ＰＴＲＳパターンを決定する
ように構成される請求項３５に記載の通信装置。
【請求項３７】
前記シンボル内ＰＴＲＳチャンク密度が２であるときに、２つのＰＴＲＳチャンクは前記シンボルの両端に分配される
請求項３６に記載の通信装置。
【請求項３８】
前記送受信機ユニットは、前記シンボル内ＰＴＲＳチャンク密度、およびＰＴＲＳサンプルの前記数を決定するために使用される情報を送信するようにさらに構成される請求項３５に記載の通信装置。
【請求項３９】
前記１つまたは複数のシンボルは、離散フーリエ変換拡散直交周波数分割多重（ＤＦＴ−Ｓ−ＯＦＤＭ）シンボルである請求項３２乃至３８のいずれか一項に記載の通信装置。
【請求項４０】
前記処理ユニットは、
位相ノイズレベル、サブキャリア間隔、および周波数のうちの少なくとも１つに基づいて、スケジュールされた帯域幅のしきい値を決定する
ように特に構成される請求項３２に記載の通信装置。
【請求項４１】
前記送受信機ユニットは、前記位相ノイズレベル、前記サブキャリア間隔、および前記周波数のうちの前記少なくとも１つを、端末から受信するようにさらに構成される請求項４０に記載の通信装置。
【請求項４２】
命令を含むコンピュータプログラムであって、前記命令がコンピュータ上で実行されるときに前記コンピュータが請求項１ないし１１のいずれか１項、または請求項２２ないし３１のいずれか１項の方法を実行する、コンピュータプログラム。
【発明の詳細な説明】
【技術分野】
【０００１】
本出願は、通信技術の分野に関し、詳細には、通信方法および通信装置に関する。
【背景技術】
【０００２】
次世代無線通信ネットワーク（例えば、５Ｇ）においては、通信システムの動作周波数バンドは６ＧＨｚを上回り、例えば２８ＧＨｚ、３９ＧＨｚ、６０ＧＨｚ、または７３ＧＨｚである。したがって、次世代無線通信ネットワークは高周波数通信システムに特有の特徴を有し、それによって相対的に高いスループットを容易に達成する。しかしながら既存の無線通信ネットワークと比較して、６ＧＨｚを上回る範囲内で動作する次世代無線通信ネットワークにおいては、動作周波数バンドが高くなるにつれて位相ノイズレベルは、２０ｌｏｇ（ｆ１／ｆ２）のレベルで悪化する。ここで、ｆ１およびｆ２は、ともに搬送波の周波数であり、２ＧＨｚ周波数バンドと２８ＧＨｚ周波数バンドが、例として使用される。２８ＧＨｚ周波数バンドの位相ノイズレベルは、２ＧＨｚ周波数バンドのそれよりも２３ｄＢ高い。より高い位相ノイズレベルは、伝送される信号に対して、共通位相誤差（Ｃｏｍｍｏｎ  Ｐｈａｓｅ  Ｅｒｒｏｒ、ＣＰＥ）によって、より大きな位相誤差が引き起こされることを示す。
【０００３】
先行技術においては、チャネル推定、位相ノイズ推定、およびデータ復調を一緒に完了するために、復調基準信号（Ｄｅｍｏｄｕｌａｔｉｏｎ  Ｒｅｆｅｒｅｎｃｅ  Ｓｉｇｎａｌ、ＤＭＲＳ）と、位相補償基準信号（Ｐｈａｓｅ  ｃｏｍｐｅｎｓａｔｉｏｎ  Ｒｅｆｅｒｅｎｃｅ  Ｓｉｇｎａｌ、ＰＣＲＳ）が、アップリンクとダウンリンクの両方において使用され、その後、通信品質を改善するために推定された位相ノイズに基づいて位相ノイズ誤差補償が実行される。ＰＣＲＳは位相追跡基準信号（Ｐｈａｓｅ  ｔｒａｃｋｉｎｇ  Ｒｅｆｅｒｅｎｃｅ  Ｓｉｇｎａｌ、ＰＴＲＳ）と呼ばれることもあり、以下では記述を容易にするためにＰＴＲＳと呼ばれる。
【０００４】
現在、ＰＴＲＳは、時間領域においては連続的に、周波数領域においては複数の対応するポート上における周波数分割を通して送信される。ポートは固定されており、高データ帯域幅のケースにおいては相対的に大量のサブキャリアが占有され、相対的に高いリソースオーバヘッドをもたらす。
【発明の概要】
【発明が解決しようとする課題】
【０００５】
要約すると、ＰＴＲＳによって占有されるサブキャリアの数量を低減させ、ＰＴＲＳを送信するためのオーバヘッドを低減させスペクトル効率を改善するために、ＰＴＲＳをいかに柔軟に構成するかが喫緊に解決されるべき問題である。
【課題を解決するための手段】
【０００６】
本出願は、位相追跡基準信号パターンが、異なる変調符号化方式および／または異なるスケジュールされた帯域幅に基づいて異なる端末に対して柔軟に構成され、それによって、位相ノイズ誤差補償性能を保証しながら位相追跡基準信号オーバヘッドを低減させ、スペクトル効率を改善する通信方法および通信装置を提供する。
【０００７】
本出願の実施形態は、通信方法を提供する。方法は、
第１のデバイスによって、変調符号化方式ＭＣＳおよびスケジュールされた帯域幅のうちの少なくとも一方に基づいて、位相追跡基準信号ＰＴＲＳパターンを決定するステップであって、ＰＴＲＳパターンは、１つまたは複数のＰＴＲＳチャンクを含み、各ＰＴＲＳチャンクは、１つまたは複数のＰＴＲＳサンプルを含む、ステップと、
第１のデバイスによって、ＰＴＲＳを１つまたは複数のシンボルにマッピングし、１つまたは複数のシンボルを第２のデバイスに送信するステップと
を含む。
【０００８】
本出願のこの実施形態において提供される方法に従うと、第１のデバイスは、位相追跡基準信号パターンが、異なる変調符号化方式および／または異なるスケジュールされた帯域幅に基づいて、柔軟に決定され、それによって、位相ノイズ誤差補償性能を保証しながら、位相追跡基準信号オーバヘッドを低減させ、スペクトル効率を改善するように、変調符号化方式およびスケジュールされた帯域幅のしきい値のうちの少なくとも一方に基づいて、位相追跡基準信号パターンを決定する。
【０００９】
任意選択で、第１のデバイスによって、変調符号化方式ＭＣＳおよびスケジュールされた帯域幅のうちの少なくとも一方に基づいて、位相追跡基準信号ＰＴＲＳパターンを決定するステップは、
第１のデバイスによって、ＭＣＳおよびスケジュールされた帯域幅のうちの少なくとも一方と関連付けられた、ＰＴＲＳチャンク密度およびＰＴＲＳチャンクに含まれるＰＴＲＳサンプルの量を、第１の関連付けルールから決定するステップであって、ＭＣＳおよびスケジュールされた帯域幅のうちの少なくとも一方と関連付けられた、ＰＴＲＳチャンク密度およびＰＴＲＳチャンクに含まれるＰＴＲＳサンプルの量を、ＰＴＲＳパターンに関する、ＰＴＲＳチャンク密度およびＰＴＲＳチャンクに含まれるＰＴＲＳサンプルの量として決定し、第１の関連付けルールは、ＭＣＳおよびスケジュールされた帯域幅のうちの少なくとも一方と、ＰＴＲＳチャンク密度およびＰＴＲＳチャンクに含まれるＰＴＲＳサンプルの量との間の関連付け関係である、ステップ
を含む。
【００１０】
任意選択で、第１のデバイスによって、ＰＴＲＳを１つまたは複数のシンボルにマッピングし、１つまたは複数のシンボルを第２のデバイスに送信するステップは、
第１のデバイスによって、ＰＴＲＳを、シングルキャリア変調がそれに対して使用される１つまたは複数のシンボルにマッピングし、１つまたは複数のシンボルを第２のデバイスに送信するステップ
を含む。
【００１１】
任意選択で、シングルキャリアは、離散フーリエ変換拡散直交周波数分割多重（ＤＦＴ−Ｓ−ＯＦＤＭ）波形である。
【００１２】
任意選択で、スケジュールされた帯域幅が、第１のスケジュールされた帯域幅の区間内にあり、変調符号化方式が、第１の変調符号化方式の区間内にあるとき、ＰＴＲＳパターンは、送信されない。
【００１３】
任意選択で、第１のデバイスは、端末である。
【００１４】
任意選択で、第１のデバイスによって、変調符号化方式ＭＣＳおよびスケジュールされた帯域幅のうちの少なくとも一方に基づいて、位相追跡基準信号ＰＴＲＳパターンを決定するステップの前に、方法は、
第１のデバイスによって、位相ノイズレベル、サブキャリア間隔、および周波数のうちの少なくとも１つに基づいて、ＭＣＳのしきい値および／またはスケジュールされた帯域幅のしきい値を決定するステップ
をさらに含む。
【００１５】
任意選択で、第１のデバイスによって、変調符号化方式ＭＣＳおよびスケジュールされた帯域幅のうちの少なくとも一方に基づいて、位相追跡基準信号ＰＴＲＳパターンを決定するステップの前に、方法は、
第１のデバイスによって、位相ノイズレベル、サブキャリア間隔、および周波数のうちの少なくとも１つを、第２のデバイスにフィードバックするステップ
をさらに含む。
【００１６】
本出願の実施形態は、通信装置を提供する。装置は、メモリと、プロセッサとを含む。メモリは、コンピュータ操作命令を含むプログラムコードを記憶するように構成され、プロセッサは、上述の通信方法のいずれか１つを実行するために、コンピュータ操作命令を実行する。
【００１７】
本出願の実施形態は、通信装置を提供し、通信装置は、上述の第１の態様において提供されたいずれかの通信方法を実施することができる。
【００１８】
可能な設計においては、通信装置は、変調符号化方式およびスケジュールされた帯域幅のしきい値のうちの少なくとも一方に基づいて、位相追跡基準信号パターンを決定するために、上述の第１の態様において提供されたいずれかの通信方法を実施するように構成された、複数の機能モジュール、例えば、処理ユニットおよび送受信機ユニットを含む。このように、位相追跡基準信号パターンが、異なる変調符号化方式および／または異なるスケジュールされた帯域幅に基づいて、柔軟に決定され、それによって、位相ノイズ誤差補償性能を保証しながら、位相追跡基準信号オーバヘッドを低減させ、スペクトル効率を改善する。
【００１９】
可能な設計においては、通信装置の構造は、プロセッサと、送受信機とを含む。上述の通信方法における対応する機能を実行する際に、プロセッサは、通信装置をサポートするように構成される。送受信機は、通信装置と端末との間の通信をサポートし、上述の通信方法において使用される情報または命令を端末に送信するように構成される。通信装置は、メモリをさらに含み得る。メモリは、プロセッサに結合されるように構成され、メモリは、通信装置のために必要なプログラム命令およびデータを記憶する。
【００２０】
本出願の実施形態は、
ネットワークデバイスによって、関連付けルールに基づいて、Ｐ個のＰＴＲＳポートと、Ｐ個のＰＴＲＳポートと関連付けられたＤＭＲＳポートグループ内のＱ個のＤＭＲＳポートとの間の関連付け関係を決定するステップであって、Ｐは、１以上、Ｑ以下であり、Ｑは、Ｐ個のＰＴＲＳポートと関連付けられたＤＭＲＳポートグループに含まれるＤＭＲＳポートの量である、ステップと、
ネットワークデバイスによって、Ｐ個のＰＴＲＳポートと、ＤＭＲＳポートグループ内のＱ個のＤＭＲＳポートとの間の関連付け関係を、端末に送信するステップと
を含む、通信方法を提供する。
【００２１】
任意選択で、関連付けルールは、以下のうちの、すなわち、
１つのＤＭＲＳポートグループが、複数のＰＴＲＳポートと関連付けられる場合、ＤＭＲＳポートグループと関連付けられた複数のＰＴＲＳポートのうちの第ｉのＰＴＲＳポートが、ポート番号のシーケンスに基づいて、ＤＭＲＳポートグループ内の第ｉのＤＭＲＳポートにマッピングされ、ここで、ｉ＝１、２、３、．．．であり、
１つのＤＭＲＳポートグループが、１つのＰＴＲＳポートと関連付けられる場合、ＰＴＲＳポートが、ＤＭＲＳポートグループ内で最小または最大ポート番号を有するＤＭＲＳポートにマッピングされ、または
１つのＤＭＲＳポートグループが、１つのＰＴＲＳポートと関連付けられる場合、ＰＴＲＳポートが、ＤＭＲＳポートグループ内で最大信号対雑音比を有するＤＭＲＳポートにマッピングされる
のうちのいずれか１つまたは複数である。
【００２２】
任意選択で、ＰＴＲＳポートと、ＤＭＲＳポートグループ内のＱ個のＤＭＲＳポートとの間の関連付け関係は、ＤＭＲＳポートグループ内のＤＭＲＳポートと、ＰＴＲＳポートが、同じプリコーディング行列を有することを意味する。
【００２３】
任意選択で、ネットワークデバイスによって、関連付けルールに基づいて、Ｐ個のＰＴＲＳポートと、Ｐ個のＰＴＲＳポートと関連付けられたＤＭＲＳポートグループ内のＱ個のＤＭＲＳポートとの間の関連付け関係を決定するステップの前に、方法は、
ネットワークデバイスによって、ＰＴＲＳポート構成基準情報を獲得するステップであって、ＰＴＲＳポート構成基準情報は、以下のうちの、すなわち、端末の共用される局所発振器情報、または端末がＰＴＲＳポートのフル構成にあるときは、各ＰＴＲＳポート上において測定された共通位相誤差、ＤＭＲＳポートグループの量、端末にスケジュールされるレイヤの量、およびＰＴＲＳポートの最大量のうちの少なくとも１つを含む、ステップと、
ネットワークデバイスによって、ＰＴＲＳポート構成基準情報に基づいて、ＰＴＲＳを送信するために端末によって使用されるＰＴＲＳポートの量を決定するステップと
をさらに含む。
【００２４】
任意選択で、ネットワークデバイスによって、ＰＴＲＳポート構成基準情報に基づいて、ＰＴＲＳを送信するために端末によって使用されるＰＴＲＳポートの量を決定するステップは、
ネットワークデバイスが、端末の共用される局所発振器情報に基づいて、端末の複数の介在無線周波数リンクが、１つの水晶発振器ユニットを共用しないと決定し、また端末にスケジュールされるレイヤの量が、ＰＴＲＳポートの最大量以下であると決定した場合、端末にスケジュールされるレイヤの量をＰＴＲＳポートの量として決定するステップ、
ネットワークデバイスが、端末の共用される局所発振器情報に基づいて、端末の複数の介在無線周波数リンクが、１つの水晶発振器ユニットを共用しないと決定し、また端末にスケジュールされるレイヤの量が、ＰＴＲＳポートの最大量よりも大きいと決定した場合、ＰＴＲＳポートの最大量をＰＴＲＳポートの量として決定するステップ、または
ネットワークデバイスが、端末の共用される局所発振器情報に基づいて、端末の複数の介在無線周波数リンクが、１つの水晶発振器ユニットを共用すると決定した場合、ＰＴＲＳポートの量は、１以上、ＤＭＲＳポートグループの量以下であると決定するステップ
を含む。
【００２５】
本出願の実施形態は、
関連付けルールに基づいて、Ｐ個のＰＴＲＳポートと、Ｐ個のＰＴＲＳポートと関連付けられたＤＭＲＳポートグループ内のＱ個のＤＭＲＳポートとの間の関連付け関係を決定するように構成されたプロセッサであって、Ｐは、１以上、Ｑ以下であり、Ｑは、Ｐ個のＰＴＲＳポートと関連付けられたＤＭＲＳポートグループに含まれるＤＭＲＳポートの量である、プロセッサと、
Ｐ個のＰＴＲＳポートと、ＤＭＲＳポートグループ内のＱ個のＤＭＲＳポートとの間の関連付け関係を、端末に送信するように構成された送受信機と
を含む、通信装置を提供する。
【００２６】
任意選択で、関連付けルールは、以下のうちの、すなわち、
１つのＤＭＲＳポートグループが、複数のＰＴＲＳポートと関連付けられる場合、ＤＭＲＳポートグループと関連付けられた複数のＰＴＲＳポートのうちの第ｉのＰＴＲＳポートが、ポート番号のシーケンスに基づいて、ＤＭＲＳポートグループ内の第ｉのＤＭＲＳポートにマッピングされ、ここで、ｉ＝１、２、３、．．．であり、
１つのＤＭＲＳポートグループが、１つのＰＴＲＳポートと関連付けられる場合、ＰＴＲＳポートが、ＤＭＲＳポートグループ内で最小または最大ポート番号を有するＤＭＲＳポートにマッピングされ、または
１つのＤＭＲＳポートグループが、１つのＰＴＲＳポートと関連付けられる場合、ＰＴＲＳポートが、ＤＭＲＳポートグループ内で最大信号対雑音比を有するＤＭＲＳポートにマッピングされる
のうちのいずれか１つまたは複数である。
【００２７】
任意選択で、ＰＴＲＳポートと、ＤＭＲＳポートグループ内のＱ個のＤＭＲＳポートとの間の関連付け関係は、ＤＭＲＳポートグループ内のＤＭＲＳポートと、ＰＴＲＳポートが、同じプリコーディング行列を有することを意味する。
【００２８】
任意選択で、送受信機は、
ＰＴＲＳポート構成基準情報を獲得することであって、ＰＴＲＳポート構成基準情報は、以下のうちの、すなわち、端末の共用される局所発振器情報、または端末がＰＴＲＳポートのフル構成にあるときは、各ＰＴＲＳポート上において測定された共通位相誤差、ＤＭＲＳポートグループの量、端末にスケジュールされるレイヤの量、およびＰＴＲＳポートの最大量のうちの少なくとも１つを含む、獲得すること
を行うようにさらに構成される。
【００２９】
プロセッサは、ＰＴＲＳポート構成基準情報に基づいて、ＰＴＲＳを送信するために端末によって使用されるＰＴＲＳポートの量を決定するようにさらに構成される。
【００３０】
任意選択で、プロセッサは、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量以下であると決定された場合、端末にスケジュールされるレイヤの量を、ＰＴＲＳポートの量として決定し、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量よりも大きいと決定された場合、ＰＴＲＳポートの最大量を、ＰＴＲＳポートの量として決定し、または
端末の共用される局所発振器情報に基づいて、端末の複数の介在無線周波数リンクが、１つの水晶発振器ユニットを共用すると決定された場合、ＰＴＲＳポートの量は、１以上、ＤＭＲＳポートグループの量以下であると決定する
ように特に構成される。
【００３１】
本開示の実施形態は、
関連付けルールに基づいて、Ｐ個のＰＴＲＳポートと、Ｐ個のＰＴＲＳポートと関連付けられたＤＭＲＳポートグループ内のＱ個のＤＭＲＳポートとの間の関連付け関係を決定するように構成された処理ユニットであって、Ｐは、１以上、Ｑ以下であり、Ｑは、Ｐ個のＰＴＲＳポートと関連付けられたＤＭＲＳポートグループに含まれるＤＭＲＳポートの量である、処理ユニットと、
Ｐ個のＰＴＲＳポートと、ＤＭＲＳポートグループ内のＱ個のＤＭＲＳポートとの間の関連付け関係を、端末に送信するように構成された送受信機ユニットと
を含む、通信装置を提供する。
【００３２】
任意選択で、関連付けルールは、以下のうちの、すなわち、
１つのＤＭＲＳポートグループが、複数のＰＴＲＳポートと関連付けられる場合、ＤＭＲＳポートグループと関連付けられた複数のＰＴＲＳポートのうちの第ｉのＰＴＲＳポートが、ポート番号のシーケンスに基づいて、ＤＭＲＳポートグループ内の第ｉのＤＭＲＳポートにマッピングされ、ここで、ｉ＝１、２、３、．．．であり、
１つのＤＭＲＳポートグループが、１つのＰＴＲＳポートと関連付けられる場合、ＰＴＲＳポートが、ＤＭＲＳポートグループ内で最小または最大ポート番号を有するＤＭＲＳポートにマッピングされ、または
１つのＤＭＲＳポートグループが、１つのＰＴＲＳポートと関連付けられる場合、ＰＴＲＳポートが、ＤＭＲＳポートグループ内で最大信号対雑音比を有するＤＭＲＳポートにマッピングされる
のうちのいずれか１つまたは複数である。
【００３３】
任意選択で、ＰＴＲＳポートと、ＤＭＲＳポートグループ内のＱ個のＤＭＲＳポートとの間の関連付け関係は、ＤＭＲＳポートグループ内のＤＭＲＳポートと、ＰＴＲＳポートが、同じプリコーディング行列を有することを意味する。
【００３４】
任意選択で、送受信機ユニットは、
ＰＴＲＳポート構成基準情報を獲得することであって、ＰＴＲＳポート構成基準情報は、以下のうちの、すなわち、端末の共用される局所発振器情報、または端末がＰＴＲＳポートのフル構成にあるときは、各ＰＴＲＳポート上において測定された共通位相誤差、ＤＭＲＳポートグループの量、端末にスケジュールされるレイヤの量、およびＰＴＲＳポートの最大量のうちの少なくとも１つを含む、獲得すること
を行うようにさらに構成される。
【００３５】
処理ユニットは、ＰＴＲＳポート構成基準情報に基づいて、ＰＴＲＳを送信するために端末によって使用されるＰＴＲＳポートの量を決定するようにさらに構成される。
【００３６】
任意選択で、処理ユニットは、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量以下であると決定された場合、端末にスケジュールされるレイヤの量を、ＰＴＲＳポートの量として決定し、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量よりも大きいと決定された場合、ＰＴＲＳポートの最大量を、ＰＴＲＳポートの量として決定し、または
端末の共用される局所発振器情報に基づいて、端末の複数の介在無線周波数リンクが、１つの水晶発振器ユニットを共用すると決定された場合、ＰＴＲＳポートの量は、１以上、ＤＭＲＳポートグループの量以下であると決定する
ように特に構成される。
【００３７】
本出願の実施形態は、
第１のデバイスによって、位相追跡基準信号ＰＴＲＳパターンを決定するステップであって、ＰＴＲＳパターンは、１つまたは複数のＰＴＲＳチャンクを含み、各ＰＴＲＳチャンクは、１つまたは複数のＰＴＲＳサンプルを含む、ステップと、
第１のデバイスによって、ＰＴＲＳを１つまたは複数のシンボルにマッピングし、
１つまたは複数のシンボルを第２のデバイスに送信するステップと
を含む、通信方法を提供する。
【００３８】
可能な設計においては、第１のデバイスによって、位相追跡基準信号ＰＴＲＳパターンを決定するステップは、第１のデバイスによって、変調符号化方式ＭＣＳおよびスケジュールされた帯域幅のうちの少なくとも一方に基づいて、位相追跡基準信号ＰＴＲＳパターンを決定するステップを特に含む。
【００３９】
別の可能な設計においては、第１のデバイスによって、位相追跡基準信号ＰＴＲＳパターンを決定するステップは、第１のデバイスによって、以下のパラメータのうちの、すなわち、シンボル間ＰＴＲＳ時間領域密度、シンボル内ＰＴＲＳチャンク密度、およびＰＴＲＳサンプルの量のうちの少なくとも１つに基づいて、位相追跡基準信号ＰＴＲＳパターンを決定するステップを特に含む。
【００４０】
別の可能な設計においては、第１のデバイスによって、位相追跡基準信号ＰＴＲＳパターンを決定するステップは、第１のデバイスによって、以下のパラメータのうちの、すなわち、シンボル間ＰＴＲＳ時間領域密度、シンボル内ＰＴＲＳチャンク密度、ＰＴＲＳサンプルの量、およびシンボル内におけるＰＴＲＳチャンクの分配ロケーションのうちの少なくとも１つに基づいて、位相追跡基準信号ＰＴＲＳパターンを決定するステップを特に含む。
【００４１】
別の可能な設計においては、方法は、シンボル内ＰＴＲＳチャンク密度およびＰＴＲＳサンプルの量を示すために使用される情報を、第２のデバイスから受信するステップをさらに含む。
【００４２】
別の可能な設計においては、方法は、シンボル内ＰＴＲＳチャンク密度の表示情報、ＰＴＲＳサンプルの量の表示情報、およびシンボル内におけるチャンクの分配ロケーションの表示情報を、第２のデバイスから受信するステップをさらに含む。
【００４３】
別の可能な設計においては、シンボル内ＰＴＲＳチャンク密度、ＰＴＲＳサンプルの量、およびシンボル内におけるチャンクの分配ロケーションを一緒に識別するために、Ｘビットが使用され、ここで、Ｘは、２よりも大きい整数である。
【００４４】
別の可能な設計においては、方法は、変調符号化方式ＭＣＳと、シンボル間ＰＴＲＳ時間領域密度との間のマッピング関係についての情報に基づいて、シンボル間ＰＴＲＳ時間領域密度を決定するステップをさらに含む。
【００４５】
別の可能な設計においては、第１のデバイスによって、ＰＴＲＳを１つまたは複数のシンボルにマッピングし、１つまたは複数のシンボルを第２のデバイスに送信するステップは、第１のデバイスによって、ＰＴＲＳを、シングルキャリア変調がそれに対して使用される１つまたは複数のシンボルにマッピングし、１つまたは複数のシンボルを第２のデバイスに送信するステップを含む。
【００４６】
別の可能な設計においては、シングルキャリア変調がそれに対して使用される１つまたは複数のシンボルは、離散フーリエ変換拡散直交周波数分割多重（ＤＦＴ−Ｓ−ＯＦＤＭ）シンボルである。
【００４７】
本出願の実施形態は、処理ユニットと、送受信機ユニットとを含む、通信装置をさらに提供し、処理ユニットは、位相追跡基準信号ＰＴＲＳパターンを決定するように構成され、ＰＴＲＳパターンは、１つまたは複数のＰＴＲＳチャンクを含み、各ＰＴＲＳチャンクは、１つまたは複数のＰＴＲＳサンプルを含み、
送受信機ユニットは、ＰＴＲＳを１つまたは複数のシンボルにマッピングし、１つまたは複数のシンボルをネットワークデバイスに送信するように構成される。
【００４８】
可能な設計においては、処理ユニットは、変調符号化方式ＭＣＳおよびスケジュールされた帯域幅のうちの少なくとも一方に基づいて、位相追跡基準信号ＰＴＲＳパターンを決定するように特に構成される。
【００４９】
別の可能な設計においては、処理ユニットは、以下のパラメータのうちの、すなわち、シンボル間ＰＴＲＳ時間領域密度、シンボル内ＰＴＲＳチャンク密度、およびＰＴＲＳサンプルの量のうちの少なくとも１つに基づいて、位相追跡基準信号ＰＴＲＳパターンを決定するように特に構成される。
【００５０】
別の可能な設計においては、処理ユニットは、以下のパラメータのうちの、すなわち、シンボル間ＰＴＲＳ時間領域密度、シンボル内ＰＴＲＳチャンク密度、ＰＴＲＳサンプルの量、およびシンボル内におけるＰＴＲＳチャンクの分配ロケーションのうちの少なくとも１つに基づいて、位相追跡基準信号ＰＴＲＳパターンを決定するように特に構成される。
【００５１】
別の可能な設計においては、送受信機ユニットは、シンボル内ＰＴＲＳチャンク密度の表示情報、およびＰＴＲＳサンプルの量の表示情報を、第２のデバイスから受信するようにさらに構成される。
【００５２】
別の可能な設計においては、送受信機ユニットは、シンボル内ＰＴＲＳチャンク密度の表示情報、ＰＴＲＳサンプルの量の表示情報、およびシンボル内におけるＰＴＲＳチャンクの分配ロケーションの表示情報を、第２のデバイスから受信するようにさらに構成される。
【００５３】
別の可能な設計においては、送受信機ユニットは、Ｘビットを、第２のデバイスから受信するようにさらに構成される。Ｘビットは、シンボル内ＰＴＲＳチャンク密度、ＰＴＲＳサンプルの量、およびシンボル内におけるＰＴＲＳチャンクの分配ロケーションを識別するために使用され、ここで、Ｘは、２よりも大きい整数である。
【００５４】
別の可能な設計においては、処理ユニットは、変調符号化方式ＭＣＳと、シンボル間ＰＴＲＳ時間領域密度との間のマッピング関係についての情報に基づいて、シンボル間ＰＴＲＳ時間領域密度を決定するようにさらに構成される。
【００５５】
別の可能な設計においては、シンボルは、離散フーリエ変換拡散直交周波数分割多重（ＤＦＴ−Ｓ−ＯＦＤＭ）シンボルである。
【００５６】
別の可能な設計においては、通信装置は、端末デバイスである。
【００５７】
本出願の実施形態は、
１つまたは複数のシンボルを受信するステップであって、位相追跡基準信号ＰＴＲＳが、１つまたは複数のシンボルにマッピングされ、ＰＴＲＳパターンは、１つまたは複数のＰＴＲＳチャンクを含み、各ＰＴＲＳチャンクは、１つまたは複数のＰＴＲＳサンプルを含む、ステップと、
１つまたは複数のシンボルから、位相追跡基準信号ＰＴＲＳパターンを決定するステップと
を含む、通信方法をさらに提供する。
【００５８】
可能な設計においては、１つまたは複数のシンボルから、位相追跡基準信号ＰＴＲＳパターンを決定するステップは、変調符号化方式ＭＣＳおよびスケジュールされた帯域幅のうちの少なくとも一方に基づいて、位相追跡基準信号ＰＴＲＳパターンを決定するステップを特に含む。
【００５９】
別の可能な設計においては、１つまたは複数のシンボルから、位相追跡基準信号ＰＴＲＳパターンを決定するステップは、以下のパラメータのうちの、すなわち、シンボル間ＰＴＲＳ時間領域密度、シンボル内ＰＴＲＳチャンク密度、およびＰＴＲＳサンプルの量のうちの少なくとも１つに基づいて、位相追跡基準信号ＰＴＲＳパターンを決定するステップを特に含む。
【００６０】
別の可能な設計においては、１つまたは複数のシンボルから、位相追跡基準信号ＰＴＲＳパターンを決定するステップは、以下のパラメータのうちの、すなわち、シンボル間ＰＴＲＳ時間領域密度、シンボル内ＰＴＲＳチャンク密度、ＰＴＲＳサンプルの量、およびシンボル内におけるＰＴＲＳチャンクの分配ロケーションのうちの少なくとも１つに基づいて、位相追跡基準信号ＰＴＲＳパターンを決定するステップを特に含む。
【００６１】
別の可能な設計においては、方法は、シンボル内ＰＴＲＳチャンク密度の表示情報、およびＰＴＲＳサンプルの量の表示情報を送信するステップをさらに含む。
【００６２】
別の可能な設計においては、方法は、シンボル内ＰＴＲＳチャンク密度の表示情報、ＰＴＲＳサンプルの量の表示情報、およびシンボル内におけるＰＴＲＳチャンクの分配ロケーションの表示情報を送信するステップをさらに含む。
【００６３】
別の可能な設計においては、１つまたは複数のシンボルは、離散フーリエ変換拡散直交周波数分割多重（ＤＦＴ−Ｓ−ＯＦＤＭ）シンボルである。
【００６４】
本出願の実施形態は、１つまたは複数のシンボルを受信するように構成された送受信機ユニットであって、位相追跡基準信号ＰＴＲＳが、１つまたは複数のシンボルにマッピングされ、ＰＴＲＳパターンは、１つまたは複数のＰＴＲＳチャンクを含み、各ＰＴＲＳチャンクは、１つまたは複数のＰＴＲＳサンプルを含む、送受信機ユニットと、
１つまたは複数のシンボルから、位相追跡基準信号ＰＴＲＳパターンを決定するように構成された処理ユニットと
を含む、通信装置をさらに提供する。
【００６５】
可能な設計においては、処理ユニットは、変調符号化方式ＭＣＳおよびスケジュールされた帯域幅のうちの少なくとも一方に基づいて、位相追跡基準信号ＰＴＲＳパターンを決定するように構成される。
【００６６】
別の可能な設計においては、処理ユニットは、以下のパラメータのうちの、すなわち、シンボル間ＰＴＲＳ時間領域密度、シンボル内ＰＴＲＳチャンク密度、およびＰＴＲＳサンプルの量のうちの少なくとも１つに基づいて、位相追跡基準信号ＰＴＲＳパターンを決定するように構成される。
【００６７】
別の可能な設計においては、処理ユニットは、以下のパラメータのうちの、すなわち、シンボル間ＰＴＲＳ時間領域密度、シンボル内ＰＴＲＳチャンク密度、ＰＴＲＳサンプルの量、およびシンボル内におけるＰＴＲＳチャンクの分配ロケーションのうちの少なくとも１つに基づいて、位相追跡基準信号ＰＴＲＳパターンを決定するように構成される。
【００６８】
別の可能な設計においては、送受信機ユニットは、シンボル内ＰＴＲＳチャンク密度の表示情報、およびＰＴＲＳサンプルの量の表示情報を送信するようにさらに構成される。
【００６９】
別の可能な設計においては、送受信機ユニットは、シンボル内ＰＴＲＳチャンク密度の表示情報、ＰＴＲＳサンプルの量の表示情報、およびシンボル内におけるＰＴＲＳチャンクの分配ロケーションの表示情報を送信するようにさらに構成される。
【００７０】
別の可能な設計においては、１つまたは複数のシンボルは、離散フーリエ変換拡散直交周波数分割多重（ＤＦＴ−Ｓ−ＯＦＤＭ）シンボルである。
【００７１】
本出願は、上述の通信方法のいずれか１つにおけるいずれかの設計された機能を実行するために使用される、コンピュータソフトウェア命令を記憶するように構成された、コンピュータ可読記憶媒体をさらに提供する。コンピュータソフトウェア命令は、上述の設計された通信方法のいずれか１つを実行するように設計された、プログラムを含む。
【００７２】
本出願の実施形態は、命令を含むコンピュータプログラム製品をさらに提供する。コンピュータプログラム製品が、コンピュータ上において実行されたとき、コンピュータは、上述の態様に従って通信方法を実行することを可能にされる。
【図面の簡単な説明】
【００７３】
【図１】本出願の実施形態に従った、アプリケーションシナリオの概略アーキテクチャ図である。
【図２】本出願の実施形態に従った、通信方法の概略フローチャートである。
【図３】本出願の実施形態に従った、ＰＴＲＳパターンの概略図である。
【図４】本出願の実施形態に従った、ＰＴＲＳパターンの概略図である。
【図５】本出願の実施形態に従った、ＰＴＲＳパターンの概略図である。
【図６】本出願の実施形態に従った、ＤＭＲＳポートとＰＴＲＳポートとの間の関連付け関係の概略図である。
【図７】本出願の実施形態に従った、ＤＭＲＳポートとＰＴＲＳポートとの間の関連付け関係の概略図である。
【図８】本出願の実施形態に従った、ＤＭＲＳポートとＰＴＲＳポートとの間の関連付け関係の概略図である。
【図９】本出願の実施形態に従った、通信装置の概略構造図である。
【図１０】本出願の実施形態に従った、通信装置の概略構造図である。
【図１１】本出願の実施形態に従った、通信装置の概略構造図である。
【図１２】本出願の実施形態に従った、通信装置の概略構造図である。
【図１３】本出願の実施形態に従った、通信方法の概略対話図である。
【図１４】本出願の実施形態に従った、ＰＴＲＳパターンの概略図である。
【図１５】本出願の実施形態に従った、ＰＴＲＳパターンの概略図である。
【図１６】本出願の実施形態に従った、ＰＴＲＳパターンの概略図である。
【図１７】本出願の実施形態に従った、ＰＴＲＳパターンの概略図である。
【図１８】本出願の実施形態に従った、通信装置の概略構造図である。
【発明を実施するための形態】
【００７４】
以下では、添付の図面を参照して、さらに本出願を詳細に説明する。
【００７５】
本出願の実施形態は、移動体通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ロングタームエボリューションアドバンスト（Ａｄｖａｎｃｅｄ  ｌｏｎｇ  ｔｅｒｍ  ｅｖｏｌｕｔｉｏｎ、ＬＴＥ−Ａ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、進化型ロングタームエボリューション（ｅｖｏｌｖｅｄ  Ｌｏｎｇ  Ｔｅｒｍ  Ｅｖｏｌｕｔｉｏｎ、ｅＬＴＥ）システム、５Ｇシステム（例えば、ニューラジオ（Ｎｅｗ  Ｒａｄｉｏ、ＮＲ）システム）、および他のモバイル通信システムなどの、様々なモバイル通信システムに適用され得る。
【００７６】
当業者による理解を容易にするために、以下において、本出願におけるいくつかの用語が説明される。
【００７７】
（１）ユーザ機器（Ｕｓｅｒ  Ｅｑｕｉｐｍｅｎｔ、ＵＥ）とも呼ばれる端末は、音声および／またはデータ接続性をユーザに提供するデバイス、例えば、ハンドヘルドデバイス、または無線接続機能を有する車載デバイスである。一般的な端末は、例えば、モバイルフォン、タブレットコンピュータ、ノートブックコンピュータ、パームトップコンピュータ、モバイルインターネットデバイス（ｍｏｂｉｌｅ  ｉｎｔｅｒｎｅｔ  ｄｅｖｉｃｅ、ＭＩＤ）、またはスマートウォッチ、スマートバンド、もしくは歩数計などのウェアラブルデバイスを含む。
【００７８】
（２）ネットワークデバイスは、ＧＳＭシステムもしくはＣＤＭＡシステムにおける基地送受信機局（Ｂａｓｅ  Ｔｒａｎｓｃｅｉｖｅｒ  Ｓｔａｔｉｏｎ、ＢＴＳ）であり得、ＷＣＤＭＡシステムにおけるノードＢ（ＮｏｄｅＢ、ＮＢ）であり得、またはＬＴＥシステムにおける進化型ノードＢ（ｅｖｏｌｖｅｄ  ＮｏｄｅＢ、ｅＮＢもしくはｅＮｏｄｅＢ）、もしくはクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであり得る。ネットワークデバイスは、代替として、将来の５Ｇネットワークにおけるネットワークデバイス、例えば、ＮＲシステムにおけるｇＮＢ、スモールセル、マイクロ基地局、もしくはＴＲＰ（送受信ポイント、ｔｒａｎｓｍｉｓｓｉｏｎ  ｒｅｃｅｐｔｉｏｎ  ｐｏｉｎｔ）であり得、または中継局、アクセスポイント、将来の進化型地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワークデバイス、もしくは他の任意の無線アクセスデバイスであり得る。しかしながら、本出願の実施形態は、それらに限定されない。
【００７９】
（３）物理リソースブロック（Ｐｈｙｓｉｃａｌ  Ｒｅｓｏｕｒｃｅ  Ｂｌｏｃｋ、ＰＲＢ）は、時間領域において１つのサブフレームまたは１つのスロットを占有し、周波数領域において複数の連続するサブキャリアを占有する、時間−周波数リソースユニットである。ＬＴＥにおいては、ＰＲＢは、時間領域において１つのサブフレーム内の１４個の連続する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを占有し、周波数領域において１２個の連続するサブキャリアを占有する。
【００８０】
（４）サブキャリア幅は、周波数領域における最小粒度である。例えば、ＬＴＥにおいては、１つのサブキャリアのサブキャリア幅は、１５ＫＨｚである。
【００８１】
（５）「複数の」は、２以上を意味する。「および／または」は、関連付けられたオブジェクト間の関連付け関係を記述し、３つの関係が存在し得ることを表す。例えば、Ａおよび／またはＢは、以下の３つのケース、すなわち、Ａだけが存在する、ＡとＢの両方が存在する、およびＢだけが存在することを表し得る。文字「／」は、一般に、関連付けられたオブジェクト間の「または」関係を表す。加えて、「第１の」、「第２の」、および「第３の」などの用語は、本出願の実施形態において、様々なメッセージ、要求、および端末を記述するために使用され得るが、これらのメッセージ、要求、および端末は、これらの用語に限定されないものとすることが、理解されるべきである。これらの用語は、メッセージ、要求、および端末を区別するためだけに使用される。
【００８２】
図１は、本出願の実施形態に従った、アプリケーションシナリオの概略アーキテクチャ図である。図１に示されるネットワーキングアーキテクチャは、主に、基地局１０１と、端末１０２とを含む。基地局１０１は、低周波数（主に６ＧＨｚより下）、またはより高い周波数（６ＧＨｚより上）のミリメートル波バンドを使用することによって、端末１０２と通信し得る。例えば、ミリメートル波バンドは、２８ＧＨｚもしくは３８ＧＨｚ、または相対的に小さいカバレージエリアを有するデータプレーンが高度化されたバンド（Ｅｎｈａｎｃｅｄ−ｂａｎｄ）、例えば、７０ＧＨｚより上の周波数バンドであり得る。基地局１０１のカバレージ内の端末１０２は、低周波数、またはより高い周波数のミリメートル波バンドを使用することによって、基地局１０１と通信し得る。図１は、例としてのみ使用される、簡略化された概略図である。ネットワークは、図１に示されていない、別のデバイスをさらに含み得る。
【００８３】
本出願の実施形態において提供される通信方法および通信デバイスは、端末に適用され得る。端末は、ハードウェアレイヤと、ハードウェアレイヤ上において動作するオペレーティングシステムレイヤと、ハードウェアレイヤ上において動作するアプリケーションレイヤとを含む。ハードウェアレイヤは、中央処理ユニット（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）、および（メインメモリとも呼ばれる）メモリなどの、ハードウェアを含む。オペレーティングシステムは、プロセス（Ｐｒｏｃｅｓｓ）を使用することによってサービス処理を実施する、Ｌｉｎｕｘオペレーティングシステム、Ｕｎｉｘオペレーティングシステム、Ａｎｄｒｏｉｄオペレーティングシステム、ｉＯＳオペレーティングシステム、またはＷｉｎｄｏｗｓオペレーティングシステムなどの、いずれか１つまたは複数のタイプのコンピュータオペレーティングシステムであり得る。アプリケーションレイヤは、ブラウザ、連絡先リスト、テキスト処理ソフトウェア、およびインスタント通信ソフトウェアなどの、アプリケーションを含む。
【００８４】
加えて、本出願の態様または特徴は、標準的なプログラミングおよび／またはエンジニアリング技術を使用する、方法、装置、または人工物として実施され得る。本出願において使用される「人工物」という用語は、任意のコンピュータ可読デバイス、搬送波、または媒体から取得されることができる、コンピュータプログラムを包含する。例えば、コンピュータ可読媒体は、磁気記憶デバイス（例えば、ハードディスク、フロッピディスク、または磁気テープ）、光ディスク（例えば、コンパクトディスク（Ｃｏｍｐａｃｔ  Ｄｉｓｃ、ＣＤ）、またはデジタル多用途ディスク（Ｄｉｇｉｔａｌ  Ｖｅｒｓａｔｉｌｅ  Ｄｉｓｃ、ＤＶＤ））、スマートカード、およびフラッシュメモリデバイス（例えば、消去可能プログラマブルリードオンリメモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ）、カード、スティック、またはキードライブ）を含み得るが、それらに限定されない。加えて、本明細書において説明される様々な記憶媒体は、情報を記憶するように構成された１つもしくは複数のデバイス、および／または他のマシン可読媒体を表し得る。「マシン可読媒体」という用語は、命令および／またはデータを記憶し、含み、および／または搬送することができる、様々な媒体を含み得るが、それらに限定されない。
【００８５】
本出願のより良い理解のために、以下では、添付の図面を参照して、本出願を説明する。
【００８６】
上述の説明に関連して、図２は、本出願の実施形態に従った、通信方法の概略フローチャートである。方法は、以下のステップを含む。
【００８７】
ステップ２０１：第１のデバイスは、変調符号化方式およびスケジュールされた帯域幅のうちの少なくとも一方に基づいて、位相追跡基準信号ＰＴＲＳパターンを決定し、ＰＴＲＳパターンは、１つまたは複数のＰＴＲＳチャンクを含み、各ＰＴＲＳチャンクは、１つまたは複数のＰＴＲＳサンプルを含む。
【００８８】
ＰＴＲＳがシングルキャリアを使用することによって送信される、シナリオにおいては、シングルキャリアＰＴＲＳが、時間領域においてマッピングされるとき、ＰＴＲＳパターンを示すために使用されるパラメータは、シンボル間ＰＴＲＳ時間領域密度、シンボル内ＰＴＲＳチャンク（ｃｈｕｎｋ）密度、およびＰＴＲＳサンプル（ｓａｍｐｌｅ）の量を含む。例えば、図３は、本出願の実施形態に従った、ＰＴＲＳパターンの概略図である。図３において、ＰＴＲＳパターン（ｐａｔｔｅｒｎ）のシンボル間ＰＴＲＳ時間領域密度は、１／Ｔであり、すなわち、ＰＴＲＳは、Ｔ個のシンボルごとに、１つのシンボルにマッピングされ、ＰＴＲＳチャンク密度は、Ｍであり、すなわち、ＰＴＲＳがマッピングされるシンボルは、Ｍ個のＰＴＲＳチャンクを含み、ＰＴＲＳサンプルの量は、Ｎであり、すなわち、各ＰＴＲＳチャンクは、Ｎ個のＰＴＲＳサンプルを含む。
【００８９】
本出願のこの実施形態においては、ＰＴＲＳチャンク（ｃｈｕｎｋ）は、１つまたは複数の連続するＰＴＲＳ信号を含み、ＰＴＲＳサンプル（ｓａｍｐｌｅ）は、１つのＰＴＲＳ信号であり得る。
【００９０】
ステップ２０２：第１のデバイスは、ＰＴＲＳを１つまたは複数のシンボルにマッピングし、１つまたは複数のシンボルを第２のデバイスに送信する。
【００９１】
本出願のこの実施形態においては、第１のデバイスは、端末であり得、それに対応して、第２のデバイスは、ネットワークデバイスであり得、または第１のデバイスは、ネットワークデバイスであり得、それに対応して、第２のデバイスは、端末であり得る。
【００９２】
ステップ２０１において、ＭＣＳおよびスケジュールされた帯域幅は、ネットワークサイド上において構成される。具体的な構成方法が、本出願のこの実施形態において限定されることはない。
【００９３】
ＭＣＳおよびスケジュールされた帯域幅のうちの少なくとも一方を決定した後、第１のデバイスは、ＭＣＳおよびスケジュールされた帯域幅のうちの少なくとも一方と関連付けられた、ＰＴＲＳチャンク密度およびＰＴＲＳチャンクに含まれるＰＴＲＳサンプルの量を、第１の関連付けルール（ａｓｓｏｃｉａｔｉｏｎ  ｒｕｌｅ）から決定し、ＭＣＳおよびスケジュールされた帯域幅のうちの少なくとも一方と関連付けられた、ＰＴＲＳチャンク密度およびＰＴＲＳチャンクに含まれるＰＴＲＳサンプルの量を、ＰＴＲＳパターンに関する、ＰＴＲＳチャンク密度およびＰＴＲＳチャンクに含まれるＰＴＲＳサンプルの量として決定し得る。
【００９４】
第１の関連付けルール内にある、変調符号化方式（Ｍｏｄｕｌａｔｉｏｎ  ａｎｄ  Ｃｏｄｉｎｇ  Ｓｃｈｅｍｅ、ＭＣＳ）のしきい値、および／またはスケジュールされた帯域幅のしきい値は、位相ノイズレベル、サブキャリア間隔、および周波数のうちの少なくとも１つに基づいて、決定され得る。位相ノイズレベルは、第１のデバイスの位相ノイズレベルであり、サブキャリア間隔は、ＰＴＲＳを送信するための搬送波のサブキャリア間隔であり、周波数は、ＰＴＲＳを送信するための搬送波の周波数である。
【００９５】
第１のデバイスは、位相ノイズレベル、サブキャリア間隔、および周波数のうちの少なくとも１つに直接的に基づいて、ＭＣＳのしきい値、および／またはスケジュールされた帯域幅のしきい値を決定し得る。第１のデバイスは、さらに、位相ノイズレベル、サブキャリア間隔、および周波数のうちの少なくとも１つを、第２のデバイスにフィードバックし得る。したがって、第２のデバイスは、第１のデバイスによってフィードバックされた情報に基づいて、ＭＣＳのしきい値、および／またはスケジュールされた帯域幅のしきい値を決定し、ＭＣＳの決定されたしきい値、および／またはスケジュールされた帯域幅の決定されたしきい値を、第１のデバイスに送信することができる。
【００９６】
ＭＣＳのしきい値、および／またはスケジュールされた帯域幅のしきい値を決定するための具体的な方法は、本出願のこの実施形態においては限定されず、詳細が本明細書において説明されることはない。
【００９７】
ＭＣＳのしきい値、および／またはスケジュールされた帯域幅のしきい値を決定した後、第１のデバイスは、ＭＣＳの決定されたしきい値、および／またはスケジュールされた帯域幅の決定されたしきい値を、第２のデバイスに送信し得る。第１のデバイスは、ＭＣＳのしきい値、および／もしくはスケジュールされた帯域幅のしきい値を、第２のデバイスに直接的に送信し得、またはＭＣＳのしきい値、および／もしくはスケジュールされた帯域幅のしきい値を、第２のデバイスに間接的に送信するために、端末の位相ノイズレベルを第２のデバイスに送信し得る。
【００９８】
ＭＣＳのしきい値、および／またはスケジュールされた帯域幅のしきい値を決定した後、第１のデバイスは、第１の関連付けルール、すなわち、ＭＣＳのしきい値および／またはスケジュールされた帯域幅のしきい値のうちの少なくとも一方と、ＰＴＲＳチャンク密度およびＰＴＲＳチャンクに含まれるＰＴＲＳサンプルの量との間の関連付け関係を決定し得る。例えば、第１の関連付けルールは、表１に示され得る。
【００９９】
【表１】
0006987154.tif 000002
【０１００】
表１において、
【０１０１】
【数１】
0006987154.tif 000003
【０１０２】
は、ＭＣＳのしきい値であり、
【０１０３】
【数６】
0006987154.tif 000004
【０１０４】
は、スケジュールされた帯域幅のしきい値である。Ｎ22からＮ64は、ＰＴＲＳチャンクに含まれるＰＴＲＳサンプルの量を表し、Ｍ22からＭ64は、ＰＴＲＳチャンク密度を表す。異なるＭＣＳのしきい値、および異なるスケジュールされた帯域幅のしきい値は、異なるＰＴＲＳチャンク密度、およびＰＴＲＳチャンクに含まれるＰＴＲＳサンプルの異なる量にマッピングされる。例えば、ＭＣＳのしきい値が、
【０１０５】
【数１１】
0006987154.tif 000005
【０１０６】
であり、スケジュールされた帯域幅のしきい値が、
【０１０７】
【数１２】
0006987154.tif 000006
【０１０８】
であるとき、関連付けられたＰＴＲＳチャンク密度は、Ｍ32であり、ＰＴＲＳチャンクに含まれるＰＴＲＳサンプルの関連付けられた量は、Ｎ32である。本出願のこの実施形態においては、ＰＴＲＳチャンク密度の値は、１、２、または４であり得、ＰＴＲＳチャンクに含まれるＰＴＲＳサンプルの量は、１、２、４、８、または１６などであり得る。当然、上述の値は、例であるにすぎない。ＰＴＲＳチャンク密度の値、およびＰＴＲＳチャンクに含まれるＰＴＲＳサンプルの量は、代替として、他の形態であり得、他の形態の例が、本明細書において説明されることはない。
【０１０９】
スケジュールされた帯域幅が、第１のスケジュールされた帯域幅の区間内にあり、変調符号化方式が、第１の変調符号化方式の区間内にあるとき、ＰＴＲＳパターンは、送信されず、すなわち、ＰＴＲＳチャンク密度、およびＰＴＲＳチャンクに含まれるＰＴＲＳサンプルの量は、ともに０である。第１のスケジュールされた帯域幅の区間、および第１の変調符号化方式の区間は、実際の状況に基づいて決定され得、詳細が本明細書において説明されることはない。例えば、第１のスケジュールされた帯域幅の区間が、
【０１１０】
【数１３】
0006987154.tif 000007
【０１１１】
であり、第１の変調符号化方式の区間が、
【０１１２】
【数１４】
0006987154.tif 000008
【０１１３】
であるとき、ＰＴＲＳチャンク密度、およびＰＴＲＳチャンクに含まれるＰＴＲＳサンプルの量は、ともに０であることを、表１から知ることができる。
【０１１４】
表１は、ＭＣＳのしきい値および／またはスケジュールされた帯域幅のしきい値と、ＰＴＲＳチャンク密度およびＰＴＲＳチャンクに含まれるＰＴＲＳサンプルの量との間の関連付け関係の例にすぎないことが、理解されるべきである。第１の関連付けルールは、代替として、別の形態であり得る。例えば、表１におけるしきい値について、関連付けられたＰＴＲＳチャンク密度、およびＰＴＲＳチャンクに含まれるＰＴＲＳサンプルの関連付けられた量に対するいずれかの要件を実施するために、左しきい値が、代替として、右しきい値以下になるように設定され得る。例えば、表１において、
【０１１５】
【数１５】
0006987154.tif 000009
【０１１６】
である場合、表１における第２列は、無効であり、表１において、
【０１１７】
【数１６】
0006987154.tif 000010
【０１１８】
、
【０１１９】
【数１７】
0006987154.tif 000011
【０１２０】
、および
【０１２１】
【数１８】
0006987154.tif 000012
【０１２２】
である場合、ＰＴＲＳが存在するという条件下において、ＰＴＲＳチャンクに含まれるＰＴＲＳサンプルの量は、Ｎ33に固定され、ＰＴＲＳチャンク密度は、Ｍ33に固定される。別の例として、表１において、時間領域におけるシングルキャリアＰＴＲＳのパターンにおいて、ＰＴＲＳチャンクに含まれるＰＴＲＳサンプルの量が、スケジュールされた帯域幅だけによって決定され、シンボル内ＰＴＲＳチャンク密度が、ＭＣＳだけによって決定されるように、すべての列におけるＰＴＲＳチャンク密度は、同じになるように設定され得、すべての行におけるＰＴＲＳチャンクに含まれるＰＴＲＳサンプルの量は、同じになるように設定され得る。
【０１２３】
異なる端末の位相ノイズレベルは、異なり、異なるサブキャリア間隔の位相ノイズ耐性能力は、異なり、異なる周波数に対応する位相ノイズレベルは、異なり、１つのＭＣＳは、異なる変調次数／ビットレートに対応し得るなどする。したがって、表１におけるＭＣＳのしきい値は、端末の位相ノイズレベル、サブキャリア間隔、周波数、およびＭＣＳと変調次数／トランスポートブロックサイズ数との間の対応などのうちのすべてに関連する。すなわち、異なる端末の位相ノイズレベル、異なるサブキャリア間隔、異なる周波数、およびＭＣＳと変調次数／トランスポートブロックサイズ数との間の異なる対応は、異なる関連付け関係に対応している。
【０１２４】
本出願のこの実施形態においては、第１の関連付けルールは、代替として、第２のデバイスによって確立され、その後、第１のデバイスに送信され得、または第１のデバイスと第２のデバイスによって事前に合意され得る。
【０１２５】
本出願のこの実施形態においては、第１のデバイスは、ＭＣＳに基づいて、ＰＴＲＳパターンのシンボル間ＰＴＲＳ時間領域密度をさらに決定し得る。具体的には、ＭＣＳを決定した後、第１のデバイスは、第２の関連付けルールから、ＭＣＳと関連付けられたシンボル間ＰＴＲＳ時間領域密度を決定し、ＭＣＳと関連付けられたシンボル間ＰＴＲＳ時間領域密度を、ＰＴＲＳパターンのシンボル間ＰＴＲＳ時間領域密度として決定し得る。第２の関連付けルールは、ＭＣＳとシンボル間ＰＴＲＳ時間領域密度との間の関連付け関係である。第１のデバイスは、ＭＣＳとシンボル間ＰＴＲＳ時間領域密度との間の関連付け関係を、事前に確立し得る。第２の関連付けルールは、代替として、第２のデバイスによって確立され、その後、第１のデバイスに送信され得、または第１のデバイスと第２のデバイスによって事前に合意され得る。
【０１２６】
例えば、第２の関連付けルールが、表２に示され得る。
【０１２７】
【表２】
0006987154.tif 000013
【０１２８】
表２を参照すると、ＭＣＳが、ＭＣＳ２よりも大きく、ＭＣＳ３以下であるとき、関連付けられたシンボル間ＰＴＲＳ時間領域密度は、１／４であり、すなわち、ＰＴＲＳがそれにマッピングされる１つのシンボルは、４つのシンボルごとに送信される。別のケースについては、本明細書における説明を参照されたい。詳細がここで再び説明されることはない。
【０１２９】
表２は、ＭＣＳとシンボル間ＰＴＲＳ時間領域密度との間の関連付け関係の例であるにすぎないことが、理解されるべきである。第２の関連付けルールは、代替として、別の形態であり得、詳細が本明細書において説明されることはない。
【０１３０】
ステップ２０２において、第１のデバイスは、ＰＴＲＳを、シングルキャリア変調がそれに対して使用される１つまたは複数のシンボルにマッピングし、１つまたは複数のシンボルを第２のデバイスに送信し得る。
【０１３１】
シングルキャリアは、離散フーリエ変換拡散直交周波数分割多重（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＤＦＴ−Ｓ−ＯＦＤＭ）波形、それの拡張された波形、例えば、ＺＰ−ＤＦＴ−Ｓ−ＯＦＤＭ（ｚｅｒｏ  ｐｏｗｅｒ）波形、または別のシングルキャリアであり得る。
【０１３２】
本出願のこの実施形態においては、マルチキャリアシナリオにおいても、第１のデバイスは、ＭＣＳおよびスケジュールされた帯域幅のうちの少なくとも一方に基づいて、ＰＴＲＳパターンを決定し得る。マルチキャリアシナリオにおいては、ＰＴＲＳパターンは、ＰＴＲＳ時間領域密度と、ＰＴＲＳ周波数領域密度とを含む。ＰＴＲＳ時間領域密度は、時間領域においてＰＴＲＳがそれにマッピングされるシンボルの密度であり、ＰＴＲＳ周波数領域密度は、周波数領域においてＰＴＲＳがそれにマッピングされるサブキャリアの密度である。
【０１３３】
具体的には、第１のデバイスは、ＭＣＳに基づいた第３の関連付けルールから、ＭＣＳと関連付けられたシンボル間ＰＴＲＳ時間領域密度を決定し、ＭＣＳと関連付けられたＰＴＲＳ時間領域密度を、ＰＴＲＳパターンのＰＴＲＳ時間領域密度として決定し得る。第３の関連付けルールは、ＭＣＳとＰＴＲＳ時間領域密度との間の関連付け関係である。第１のデバイスは、ＭＣＳとＰＴＲＳ時間領域密度との間の関連付け関係を、事前に確立し得、または第２のデバイスによって確立もしくは変更された第３の関連付けルールを受信し得、または第２のデバイスと第３の関連付けルールを事前に合意し得る。これは、本出願のこの実施形態においては限定されない。
【０１３４】
例えば、第３の関連付けルールが、表３に示され得る。
【０１３５】
【表３】
0006987154.tif 000014
【０１３６】
表３において、
【０１３７】
【数１９】
0006987154.tif 000015
【０１３８】
は、ＭＣＳのしきい値である。
【０１３９】
表３は、ＭＣＳとＰＴＲＳ時間領域密度との間の関連付けルールの例にすぎないことが、理解されるべきである。ＭＣＳとＰＴＲＳ時間領域密度との間の関連付けルールは、代替として、別の形態で表され得、これは、本出願においては限定されない。
【０１４０】
表３において、ＭＣＳのしきい値は、端末の位相ノイズレベル、サブキャリア間隔、周波数、およびＭＣＳと変調次数／トランスポートブロックサイズ数との間の対応などのうちのすべてに関連する。すなわち、異なる端末の位相ノイズレベル、異なるサブキャリア間隔、異なる周波数、およびＭＣＳと変調次数／トランスポートブロックサイズ数との間の異なる対応は、異なる関連付け関係に対応している。例えば、表３におけるしきい値について、ＰＴＲＳ時間領域密度に対するいずれかの要件を実施するために、左しきい値が、代替として、右しきい値以下になるように設定され得る。例えば、表３において、
【０１４１】
【数２４】
0006987154.tif 000016
【０１４２】
である場合、ＰＴＲＳ時間領域密度は、１／４をサポートせず、表３において、
【０１４３】
【数２５】
0006987154.tif 000017
【０１４４】
である場合、ＰＴＲＳ時間領域密度は、０および１だけをサポートする。
【０１４５】
第１のデバイスは、スケジュールされた帯域幅に基づいた第４の関連付けルールから、スケジュールされた帯域幅と関連付けられたＰＴＲＳ周波数領域密度を決定し、スケジュールされた帯域幅と関連付けられたＰＴＲＳ周波数領域密度を、ＰＴＲＳパターンのＰＴＲＳ周波数領域密度として決定し得る。第４の関連付けルールは、スケジュールされた帯域幅とＰＴＲＳ周波数領域密度との間の関連付け関係である。第１のデバイスは、スケジュールされた帯域幅とＰＴＲＳ周波数領域密度との間の関連付け関係を、事前に確立し得、または第２のデバイスによって確立もしくは変更された第４の関連付けルールを受信し得、または第２のデバイスと第４の関連付けルールを事前に合意し得る。これは、本出願のこの実施形態においては限定されない。
【０１４６】
例えば、第４の関連付けルールが、表４に示され得る。
【０１４７】
【表４】
0006987154.tif 000018
【０１４８】
表４において、
【０１４９】
【数２６】
0006987154.tif 000019
【０１５０】
は、スケジュールされた帯域幅のしきい値である。
【０１５１】
表４におけるしきい値について、関連付けられたＰＴＲＳ周波数領域密度に対するいずれかの要件を実施するために、左しきい値が、代替として、右しきい値以下になるように設定され得る。詳細については、上述の説明を参照されたい。詳細がここで再び説明されることはない。
【０１５２】
表４は、スケジュールされた帯域幅とＰＴＲＳ周波数領域密度との間の関連付け関係の例にすぎないことが、理解されるべきである。スケジュールされた帯域幅とＰＴＲＳ周波数領域密度との間の関連付け関係は、代替として、別の形態で表され得、これは、本出願においては限定されない。
【０１５３】
例えば、表３および表４に関連して、図５は、本出願の実施形態に従った、ＰＴＲＳパターンの概略図である。図５の（ａ）においては、ＰＴＲＳ周波数領域密度は、１であり（周波数領域において、各リソースブロック上に１つのＰＴＲＳが存在し）、ＰＴＲＳ時間領域密度は、１であり、図５の（ｂ）においては、ＰＴＲＳ周波数領域密度は、１であり（周波数領域において、各リソースブロック上に１つのＰＴＲＳが存在し）、ＰＴＲＳ時間領域密度は、１／２であり、図５の（ｃ）においては、ＰＴＲＳ周波数領域密度は、１／２であり（周波数領域において、２つのリソースブロック上ごとに１つのＰＴＲＳが存在し）、ＰＴＲＳ時間領域密度は、１である。
【０１５４】
上述の実施形態においては、ＰＴＲＳパターンは、暗黙的に構成される。以下の実施形態においては、ＰＴＲＳパターンは、明示的に構成される。
【０１５５】
図１３は、本出願の実施形態に従った、通信方法の概略フローチャートである。方法は、以下のステップを含む。
【０１５６】
ステップ１３０１：第１のデバイスは、以下のタイプの情報のうちの、すなわち、シンボル間ＰＴＲＳ時間領域密度、シンボル内ＰＴＲＳチャンク（ｃｈｕｎｋ）密度、ＰＴＲＳサンプル（ｓａｍｐｌｅ）の量、およびシンボル内におけるチャンクの分配ロケーションのうちの少なくとも１つに基づいて、ＰＴＲＳパターンを決定する。
【０１５７】
シンボル間ＰＴＲＳ時間領域密度は、それのうち１つのシンボルがＰＴＲＳにマッピングされるシンボルの量を意味する。例えば、シンボル間ＰＴＲＳ時間領域密度が、１／４である場合、それは、ＰＴＲＳが４つのＯＦＤＭシンボルごとに１つのシンボルにマッピングされることを示す。
【０１５８】
シンボル内ＰＴＲＳチャンク密度は、１つのシンボルに含まれるＰＴＲＳチャンクの量である。
【０１５９】
シンボル内におけるチャンクの分配ロケーションは、１つのシンボル内におけるＰＴＲＳチャンクのマッピングされるロケーション、例えば、ＰＴＲＳチャンクが、シンボルの前方部分、中央部分、もしくは後方部分にマッピングされるか、または特定の変調シンボル、もしくは特定のデータにマッピングされるかについての情報である。
【０１６０】
ＰＴＲＳサンプルの量は、１つのＰＴＲＳチャンクに含まれるサンプルの量である。
【０１６１】
例えば、図１４（ａ）に示されるように、１つのシンボルが、１つのＰＴＲＳチャンクを含むので、シンボル内ＰＴＲＳチャンク密度は、１であり、１つのＰＴＲＳチャンクが、２つのサンプルを含むので、ＰＴＲＳサンプルの量は、２であり、シンボル内におけるチャンクの分配ロケーションは、前端である。
【０１６２】
上述のＰＴＲＳチャンク密度は、ＰＴＲＳチャンクの量と呼ばれることもあり、ＰＴＲＳサンプルの量は、ＰＴＲＳチャンクサイズと呼ばれることもあることが、理解されるべきである。これは、本発明においては限定されない。
【０１６３】
ステップ１３０２：第１のデバイスは、ＰＴＲＳを１つまたは複数のシンボルにマッピングし、１つまたは複数のシンボルを第２のデバイスに送信する。
【０１６４】
ステップ１３０３：第２のデバイスは、１つまたは複数のシンボルを第１のデバイスから受信する。
【０１６５】
ステップ１３０４：第２のデバイスは、１つまたは複数のシンボルからＰＴＲＳパターンを決定する。
【０１６６】
任意選択で、ステップ１３０１の前に、方法は、以下のステップをさらに含む。
【０１６７】
ステップＡ：第２のデバイスは、シンボル内ＰＴＲＳチャンク（ｃｈｕｎｋ）密度を示す情報、ＰＴＲＳサンプル（ｓａｍｐｌｅ）の量を示す情報、およびシンボル内におけるチャンクの分配ロケーションを示す情報のうちの少なくとも１つを、第１のデバイスに送信する。
【０１６８】
例えば、図３は、本出願の実施形態に従った、ＰＴＲＳパターンの概略図である。図３においては、ＰＴＲＳパターン（ｐａｔｔｅｒｎ）のシンボル間ＰＴＲＳ時間領域密度は、１／Ｔであり、すなわち、ＰＴＲＳは、Ｔ個のシンボルごとに１つのシンボルにマッピングされ、ＰＴＲＳチャンク密度は、Ｍであり、すなわち、ＰＴＲＳがそれにマッピングされるシンボルは、Ｍ個のＰＴＲＳチャンクを含み、ＰＴＲＳサンプルの量は、Ｎであり、すなわち、各ＰＴＲＳチャンクは、Ｎ個のＰＴＲＳサンプルを含む。
【０１６９】
本出願のこの実施形態においては、ＰＴＲＳチャンク（ｃｈｕｎｋ）は、１つまたは複数の連続するＰＴＲＳ信号を含み、ＰＴＲＳサンプル（ｓａｍｐｌｅ）は、離散フーリエ変換ＤＦＴ前の１つのＰＴＲＳ信号であり得る。
【０１７０】
本出願のこの実施形態においては、第１のデバイスは、端末であり得、それに対応して、第２のデバイスは、ネットワークデバイスであり得、または第１のデバイスは、ネットワークデバイスであり得、それに対応して、第２のデバイスは、端末であり得る。
【０１７１】
シンボル間ＰＴＲＳ時間領域密度は、ＭＣＳを使用することによって、暗黙的に示され得ることが、理解されるべきである。表示方式については、上述の実施形態において言及された表２または表３を参照されたい。詳細がここで再び説明されることはない。
【０１７２】
ネットワークデバイスが、ＰＴＲＳプレゼンス／パターン（Ｐｒｅｓｅｎｃｅ／Ｐａｔｔｅｒｎ）構成情報を、端末に送信したとき、以下の方式で、表示が、実施され得る。
【０１７３】
ＰＴＲＳチャンクに含まれるＰＴＲＳサンプルの量について、シグナリングを使用することによってパラメータを構成する２つの方式が、存在する。
【０１７４】
第１の方式：ＰＴＲＳサンプルの量は、直接的に示される。例えば、ＰＴＲＳサンプルの量の値は、シグナリングを使用することによって直接的に構成される。例えば、ＰＴＲＳサンプルの量が、８である場合、ＰＴＲＳサンプルの量は、４つのビット１０００によって識別される。例えば、ＰＴＲＳサンプルの量が、２である場合、ＰＴＲＳサンプルの量は、２つのビット１０によって識別される。
【０１７５】
第２の方式：ＰＴＲＳサンプルの量は、シリアル番号またはインデックスを示すことによって、間接的に示される。例えば、ＰＴＲＳサンプルの量は、番号を付与され、またはシリアル番号とＰＴＲＳサンプルの量との間のマッピング関係が、確立される。例えば、ＰＴＲＳサンプルの量は、シリアル番号を示すことによって示される。例えば、ＰＴＲＳサンプルの量についての４つの値が、存在し、このケースにおいては、表示情報は、２つのビットを占有する。表７が、例として使用される。
【０１７６】
【表５】
0006987154.tif 000020
【０１７７】
表７においては、シリアル番号が１（ビットが０１）であるとき、ＰＴＲＳサンプルの識別された量は、２であり得（例１）、またはシリアル番号が１であるとき、ＰＴＲＳサンプルの識別された量は、４であり得る（例２）。
【０１７８】
表における値は、例にすぎないことが、留意されるべきである。具体的な値が、本発明において限定されることはない。シリアル番号とＰＴＲＳサンプルの量との間のマッピング関係は、昇順で、降順で、または別の方式で提示され得る。ＰＴＲＳサンプルの量の値セットにおける要素の量（すなわち、Ｎiにおけるｉの最大値）は、４または別の数であり得る。ＰＴＲＳサンプルの量の具体的な値（すなわち、Ｎiの具体的な値）は、１、２、４、８、または別の数であり得る。この方式においては、シリアル番号とＰＴＲＳサンプルの量との間の１つまたは複数のマッピング関係は、事前に確立される。直接的な構成と比較して、この方式は、構成シグナリングオーバヘッドを低減させることができる。
【０１７９】
シンボル内ＰＴＲＳチャンク密度について、シグナリングを使用することによってシンボル内ＰＴＲＳチャンク密度を構成する２つの方式が、存在する。
【０１８０】
第１の方式：シンボル内ＰＴＲＳチャンク密度は、直接的に構成される。例えば、シンボル内ＰＴＲＳチャンク密度が、４である場合、シンボル内ＰＴＲＳチャンク密度は、３つのビット１００によって識別される。例えば、シンボル内ＰＴＲＳチャンク密度が、２である場合、シンボル内ＰＴＲＳチャンク密度は、２つのビット１０によって識別される。
【０１８１】
第２の方式：シンボル内ＰＴＲＳチャンク密度は、シリアル番号またはインデックスを示すことによって、間接的に示される。表８が、例として使用される。
【０１８２】
【表６】
0006987154.tif 000021
【０１８３】
表に示されたものは、例にすぎないことが、留意されるべきである。シグナリングの具体的な内容が、本発明において限定されることはない。シリアル番号とシンボル内ＰＴＲＳチャンク密度との間のマッピング関係は、昇順で、降順で、または別の方式で提示され得る。シンボル内ＰＴＲＳチャンク密度の値セットにおける要素の量（すなわち、Ｍiにおけるｉの最大値）は、４または別の数であり得る。シンボル内ＰＴＲＳチャンク密度の具体的な値（すなわち、Ｍiの具体的な値）は、１、２、４、８、または別の数であり得る。この方式においては、シリアル番号とシンボル内ＰＴＲＳチャンク密度との間の１つまたは複数のマッピング関係は、事前に確立される。直接的な構成と比較して、この方式は、構成シグナリングオーバヘッドを低減させることができる。
【０１８４】
シンボル内におけるチャンクの分配ロケーションの構成について、複数の要件、例えば、チャンクの量、サービス要件、受信エンドにおける位相ノイズ推定アルゴリズム、および位相ノイズの時間領域相関などの要件が、考慮される必要がある。
【０１８５】
現在のシンボル内ＰＴＲＳチャンク密度が、１である、すなわち、１つのシンボルが、ただ１つのＰＴＲＳチャンクを含む場合、ＰＴＲＳチャンクの分配ロケーションは、シンボルの前端または中央であり得る。例えば、現在のサービスが、待ち時間について相対的に高い要件を有する場合、位相ノイズは、ＰＴＲＳを使用することによって、できるだけ早く推定されることが必要とされ、したがって、ＰＴＲＳチャンクの分配ロケーションは、図１４（ａ）に示されるように、シンボルの前端であり得、現在のサービスが、推定の正確性について相対的に高い要件を有する場合、シンボル全体がただ１つのＰＴＲＳチャンクを含むことを考慮して、ＰＴＲＳチャンクの分配ロケーションは、図１４（ｂ）に示されるように、シンボルの中央であり得る。
【０１８６】
現在のシンボル内ＰＴＲＳチャンク密度が、２である、すなわち、１つのシンボルが、ただ２つのＰＴＲＳチャンクを含む場合、ＰＴＲＳチャンクについての相対的に大きい量のロケーション分配方式が、存在する。例えば、位相ノイズの時間領域相関が、相対的に強く、位相ノイズの可干渉時間が、１つのシンボルの時間以上に長いとき、図１４（ｃ）に示されるように、２つのＰＴＲＳチャンクは、シンボルの両端に分配され得、位相ノイズの時間領域相関が、相対的に弱く、または受信エンドが、少なくとも２つの隣接するシンボルを組み合わせて、位相ノイズを推定することができるとき、図１４（ｄ）に示されるように、２つのＰＴＲＳチャンクの一方は、シンボルの前端に配置され得、他方は、シンボルの中央に配置され、図１４（ｄ）における最終シンボルの位相推定の相対的に大きい量が、外挿を通して獲得されると考えられる場合、以下の操作が、すなわち、図１４（ｅ）に示されるように、外挿を通して獲得された位相推定の量が、最初のシンボルおよび最後のシンボルにおいて均一に分配されるように、図１４（ｄ）におけるＰＴＲＳチャンク分配全体に時間オフセットを追加する操作が、代替として、検討され得る。異なる端末のＰＴＲＳが異なるロケーションにマッピングされ得ることが、さらに検討される場合、異なる端末に対して、異なる時間領域オフセットＫが、構成され得、Ｋは、ＤＦＴ前の、Ｋ個のデータシンボル／変調シンボルの持続時間を表す。
【０１８７】
チャンクの量が、１および２以外の値である場合、チャンクのロケーションの分配方式は、２つのＰＴＲＳチャンクのそれと類似しており、図１４（ｃ）から図１４（ｅ）におけるいずれか１つであり得る。
【０１８８】
シンボル内におけるチャンクの分配ロケーションは、シンボル内ＰＴＲＳチャンク密度および／もしくはＰＴＲＳサンプルの量に基づいて、暗黙的に示され得、または直接的に明示的に示され得る。
【０１８９】
暗黙的な表示は、分配セットがシグナリングによって事前に構成されるケースだけに適用可能である。例えば、シグナリングを使用することによって構成された現在の分配セットが、図１４（ａ）および図１４（ｃ）に示される場合、チャンクの分配ロケーションは、シンボル内ＰＴＲＳチャンク密度および／またはＰＴＲＳサンプルの量に基づいて、直接的に決定され得る。例えば、１つのチャンクの分配が、図１４（ａ）に示されており、２つ以上のチャンクの分配が、図１４（ｃ）に示されている。このケースにおいては、シンボル内ＰＴＲＳチャンク密度および／またはＰＴＲＳサンプルの量は、直接的に示され得る。表７および表８における例１が、例として使用される。図１５に示されるように、最初の２つのビットは、ＰＴＲＳサンプルの量を表し、最後の２つのビットは、シンボル内ＰＴＲＳチャンク密度を表す。
【０１９０】
明示的な表示のケースにおいては、事前定義されたシリアル番号およびロケーション分配方式に基づいて、チャンクの分配ロケーションは、表９に示されるように、シグナリングを使用することによってシリアル番号を通知することによって、直接的に示され得る。
【０１９１】
【表７】
0006987154.tif 000022
【０１９２】
「前方」および「中央」は、もっぱら１つのＰＴＲＳチャンクのためであり、両端および均一分配は、少なくとも２つのＰＴＲＳチャンクのためである。したがって、このケースにおいては、ＰＴＲＳサンプルの総量は、シグナリングを使用することによって通知され得、具体的なＰＴＲＳパターンは、ロケーション分配方式を参照して、決定されることができる。例えば、ＰＴＲＳサンプルの総量を示すシグナリング内容が、ＰＴＲＳサンプルの総量｛０，１，２，４｝にそれぞれ対応する｛００，０１，１０，１１｝である場合、上述の表における例１が、例として使用される。図１６に示されるように、最初の２つのビットは、ＰＴＲＳサンプルの総量を表し、最後の２つのビットは、ＰＴＲＳチャンクの分配ロケーションを表す。総量が１である場合、ＰＴＲＳチャンク密度は、１であることだけができ、ＰＴＲＳチャンクに含まれるＰＴＲＳサンプルの量も、１であることだけができる。したがって、分配ロケーションが、前端である場合、ＰＴＲＳパターンは、図１６（ａ）に示される。総量が２であり、分配ロケーションが中央である場合、ＰＴＲＳチャンク密度は、やはり１であることだけができ、すなわち、このケースにおいては、ＰＴＲＳチャンクに含まれるＰＴＲＳサンプルの量は、２であり、分配は、図１６（ｄ）に示される。
【０１９３】
加えて、上述の３つのパラメータは、一緒に番号付与され得る。例えば、００００は、チャンク密度が１であり、ＰＴＲＳサンプルの量が１であり、分配ロケーションが前端であることを表し、０００１は、チャンク密度が１であり、ＰＴＲＳサンプルの量が１であり、分配ロケーションが中央であることを表し、００１０は、チャンク密度が１であり、ＰＴＲＳサンプルの量が２であり、分配ロケーションが前端であることを表し、００１１は、チャンク密度が１であり、ＰＴＲＳサンプルの量が２であり、分配ロケーションが中央であることを表すなどである。この方式のアイデアは、すべての可能なＰＴＲＳパターンを表すために、複数のビットを使用することである。例えば、すべての可能なＰＴＲＳパターンの量が、２０である場合、ＰＴＲＳパターンは、５つのビットによって識別される。図１７に示される、２進数、および２進数とＰＴＲＳパターンとの間のマッピング関係は、例であるにすぎず、本出願のこの実施形態に対するいかなる限定も構成しない。
【０１９４】
上述の表および図は、例であるにすぎないことが、留意されるべきである。シリアル番号とＰＴＲＳパターンとの間のマッピング関係は、代替として、式など、別の形態で表され得る。
【０１９５】
上述のパラメータの構成は、以下の方式のうちの、すなわち、ＲＲＣシグナリング、ＭＡＣ  ＣＥシグナリング、ＤＣＩシグナリング、または事前定義のうちのいずれか１つまたは複数で完了され得ることが、理解されるべきである。例えば、上述のタイプのシグナリングのうちのいずれか１つが、ＰＴＲＳチャンク密度、ＰＴＲＳサンプルの量、およびシンボル内におけるチャンクの分配ロケーションを含む、ＰＴＲＳパラメータを構成するために、直接的に使用される。パラメータのための構成シグナリングは、同じであり得、または異なり得る。パラメータは、別々に構成され得、または一緒に構成され得る。構成周期は、同じであり得、または異なり得る。上述のＰＴＲＳパラメータは、代替として、複数のタイプのシグナリングを使用することによって、一緒に構成され得、ＲＲＣシグナリングは、パラメータセット１を構成するために使用され、ＤＣＩシグナリングは、具体的なパラメータを構成するために使用され、ＤＣＩシグナリングを使用することによって構成されるパラメータは、ＲＲＣシグナリングを使用することによって構成されるパラメータセット１における要素である。例えば、シリアル番号とＰＴＲＳパラメータ／パターンとの間の複数のマッピング関係（マッピング関係１、マッピング関係２、．．．）が、事前定義され、ＲＲＣシグナリングは、マッピング関係のうちの１つを構成するために使用され（マッピング関係のシリアル番号は、具体的なマッピング関係を決定するために使用され得、例えば、２は、マッピング関係２が選択されたことを表す）、ＤＣＩシグナリングを使用することによって構成されるＰＴＲＳパラメータ／パターンは、マッピング関係２におけるＰＴＲＳパラメータ／パターンのうちの１つである。代替として、ＭＡＣ  ＣＥシグナリングは、パラメータセット１を構成するために使用され、ＤＣＩシグナリングは、具体的なパラメータを構成するために使用され、ＤＣＩシグナリングを使用することによって構成されるパラメータは、ＭＡＣ  ＣＥシグナリングを使用することによって構成されるパラメータセット１における要素である。代替として、ＲＲＣシグナリングは、パラメータセット１を構成するために使用され、ＭＡＣ  ＣＥシグナリングは、パラメータサブセット１を構成するために使用され、サブセット１におけるパラメータは、ＲＲＣシグナリングを使用することによって構成されるパラメータセット１における要素であり、ＤＣＩシグナリングは、サブセット１に基づいて、具体的なパラメータを構成するために使用される。代替として、事前定義されたパラメータ（セット）に基づいて、ＲＲＣシグナリング、ＭＡＣ  ＣＥシグナリング、およびＤＣＩシグナリングが、事前定義されたパラメータ（セット）を変更するために使用される。代替として、現在選択されているパラメータ（セット）に基づいて、ＲＲＣシグナリング、ＭＡＣ  ＣＥシグナリング、およびＤＣＩシグナリングが、事前定義されたパラメータ（セット）を変更するために使用される。
【０１９６】
本出願のこの実施形態においては、シングルキャリアＰＴＲＳパターンに関する、シンボル間ＰＴＲＳ時間領域密度、シンボル内ＰＴＲＳチャンク密度、およびＰＴＲＳサンプルの量が、決定された後、ＰＴＲＳをシンボルに正確にマッピングするために、ＰＴＲＳパターンの時間領域オフセットが、さらに決定される必要があり得る。それに対応して、マルチキャリアＰＴＲＳパターンに関する、ＰＴＲＳ時間領域密度、およびＰＴＲＳ周波数領域密度が、決定された後、ＰＴＲＳをシンボルに正確にマッピングするために、ＰＴＲＳパターンに関する、時間領域オフセットおよび周波数領域オフセットが、さらに決定される必要があり得る。以下では、別々に説明を提供する。
【０１９７】
時間領域オフセット：
【０１９８】
シンボル間ＰＴＲＳ時間領域密度、またはＰＴＲＳ時間領域密度が、１でないとき、ＰＴＲＳがどのシンボル上に配置されるべきかが、検討される必要がある。検討される主なポイントは、以下を含む。
【０１９９】
（１）別のチャネルおよび別の基準信号（Ｒｅｆｅｒｅｎｃｅ  Ｓｉｇｎａｌ、ＲＳ）との衝突：物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）は、ＰＴＲＳを必要とせず、ＤＭＲＳが配置されるシンボルは、ＰＴＲＳを必要としない。したがって、オフセットは、
【０２００】
【数３１】
0006987154.tif 000023
【０２０１】
以上であり、
【０２０２】
【数３２】
0006987154.tif 000024
【０２０３】
は、ＰＴＲＳと同じ時間領域ユニット内にあるＰＤＣＣＨによって占有されるシンボルの量であり、
【０２０４】
【数３３】
0006987154.tif 000025
【０２０５】
は、ＰＴＲＳと同じ時間領域ユニット内にあるＤＭＲＳによって占有されるシンボルの量である。時間領域ユニットは、スロット、または集約されたスロットなどであり得る。
【０２０６】
（２）位相ノイズ推定性能：ＰＴＲＳを有さないシンボルの位相ノイズは、ＰＴＲＳを有するシンボルの推定された位相ノイズに基づいて、補間を実行することによって（現在のシンボルが、ＰＴＲＳを有さないシンボルであり、ＰＴＲＳを有するシンボルが、現在のシンボルの左側および右側の両方に存在する場合、現在のシンボルの位相ノイズを獲得するために、補間が実行され得る）、または外挿を実行することによって（現在のシンボルが、ＰＴＲＳを有さないシンボルであり、ＰＴＲＳを有するシンボルが、現在のシンボルの片側だけに存在する場合、外挿だけが実行されることができる）、獲得される。外挿を通して獲得された位相ノイズは、補間を通して獲得されたものほど正確ではない。したがって、実際のケースにおいては、外挿が実行される必要があるシンボルは、できるだけ少数であるべきであり、または外挿は、回避される必要がある。加えて、チャネル推定が、ＤＭＲＳを使用することによって実行されるとき、位相ノイズは、チャネルの一部として推定され、ＰＴＲＳを使用することによって推定される位相ノイズは、実際の位相ノイズと、ＤＭＲＳが配置されるシンボルの位相ノイズとの間の差である。したがって、ＤＭＲＳが配置されるシンボルの位相ノイズ差は、０と見なされ得、補間は、０と、ＰＴＲＳを有する第１のシンボルの推定された位相ノイズとに基づいて、実行される。
【０２０７】
上述のケースに鑑みて、ＰＤＣＣＨのシンボルの量が、２であり、ＤＭＲＳのシンボルの量が、１であるとき、３つのタイプのシンボルの間のＰＴＲＳ時間領域密度、またはＰＴＲＳ時間領域密度に対応するＰＴＲＳパターンが、図４および表５に示され得る。
【０２０８】
【表８】
0006987154.tif 000026
【０２０９】
オフセット２の値は、オフセット１の値に関連あり、または関連なしであり得る。
【０２１０】
総オフセットＴoffsetは、代替として、
【０２１１】
【数３４】
0006987154.tif 000027
【０２１２】
と表され得、ここで、
Ｋは、時間領域ユニット内における、ＰＤＣＣＨおよびＤＭＲＳのシンボルを除外した、シンボルの量を表し、Ｌは、シンボル間ＰＴＲＳ時間領域密度またはＰＴＲＳ時間領域密度の逆数を表し、１、２、または４の値を有し、Ｈは、時間領域ユニット内のシンボルの総量を表し得、時間領域ユニットは、スロットであり得、または集約されたスロットであり得、
【０２１３】
【数３５】
0006987154.tif 000028
【０２１４】
は、切り上げを表す。
【０２１５】
総オフセットに基づいて、時間領域ユニット内の、ＰＴＲＳがマッピングされるシンボルのシーケンス番号は、
【０２１６】
【数３６】
0006987154.tif 000029
【０２１７】
、ｎ＝０，１，２，．．．
と表され得る。
【０２１８】
上述の内容が、アップリンクに対して使用されるとき、同様の演算が、実行され得る。
【０２１９】
周波数領域オフセット：
別のチャネルおよび（ＤＭＲＳを除く）別のＲＳとの衝突：チャネル状態情報−基準信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）との衝突。
直流（ｄｉｒｅｃｔ  ｃｕｒｒｅｎｔ、ＤＣ）サブキャリアとの衝突。
【０２２０】
上述の２つのタイプの衝突各々に対する解決策は、以下のうちのいずれかであり得る。
【０２２１】
第１の方法：ＤＣサブキャリアのロケーション、および（ＤＭＲＳを除く）別のＲＳのロケーションが、サブキャリアＲＳｓｅｔ＝｛ＳＣシーケンス番号｝上にだけあると決定され、ここで、ＳＣシーケンス番号は、１つのＲＢ内におけるシリアル番号であり、すなわち、ＳＣシーケンス番号の値は、０から１１までである場合、上述のサブキャリアシーケンス番号との衝突は、ＰＴＲＳの設計中に、周波数領域オフセットＦoffsetを設定することによって、回避され得る。例えば、
Ｆoffset＝ｍｉｎ（ＲＳｓｅｔ）−１、または
Ｆoffset＝ｍａｘ（ＲＳｓｅｔ）＋１、または
Ｆoffset∈ＳＣｓｅｔ−ＲＳｓｅｔ、ここで、ＳＣｓｅｔは、１つのＲＢ内のすべてのシリアル番号の集合であり、集合の要素は、０、１、．．．、１１を含み、またはＰＴＲＳのロケーションが、ＤＭＲＳのロケーションと同じであることをさらに考慮して、周波数領域オフセットは、
Ｆoffset∈ＲＣｓｅｔ−ＲＳｓｅｔ∩ＤＭＲＳｓｅｔ
と表され得、ここで、ＤＭＲＳｓｅｔは、ＤＭＲＳについて可能なサブキャリアシリアル番号集合であり、要素の値は、０から１１までである。
【０２２２】
第２の方法：別のＲＳまたはＤＣとの衝突のケースにおいては、優先権は、別のＲＳまたはＤＣサブキャリアに与えられ、すなわち、ＰＴＲＳは、別のＲＳまたはＤＣサブキャリアとの衝突のロケーションにマッピングされない。
【０２２３】
代替として、第１の方法が、最初に検討され得る。衝突が、回避されることができない場合、第２の方法が、使用される。
【０２２４】
具体的には、上述の説明に関連して、図４においては、各ＰＴＲＳパターンの時間領域オフセットは、３シンボルであり、図５の（ａ）から（ｃ）における各ＰＴＲＳパターンにおいては、時間領域オフセットは、３シンボルであり、周波数領域オフセットは、４サブキャリアである。
【０２２５】
先行技術においては、ＰＴＲＳを送信するためのポートは、通常、固定されたポートである。ＰＴＲＳポートの量が、必要とされるポートの量よりもはるかに大きいとき、オーバヘッドは、相対的に高い。すなわち、先行技術においては、固定されたポートが使用され、異なるシナリオにおいて、例えば、介在無線周波数ハードウェアリンクが異なるケースにおいて、貧弱な柔軟性をもたらす。
【０２２６】
本出願のこの実施形態においては、ＰＴＲＳをスケジュールするためのポートをより柔軟に構成するために、ネットワークデバイスは、端末によってフィードバックされた能力情報に基づいて、ＰＴＲＳを送信するためのＰＴＲＳポートの量、およびＤＭＲＳとの関連付け関係を決定する。以下では、詳細な説明を提供する。
【０２２７】
ネットワークデバイスは、ＰＴＲＳポート構成基準情報を獲得し、ＰＴＲＳポート構成基準情報は、以下のうちの、すなわち、端末の共用される局所発振器情報、または端末がＰＴＲＳポートのフル構成にあるときは、各ＰＴＲＳポート上において測定された共通位相誤差（Ｃｏｍｍｏｎ  Ｐｈａｓｅ  Ｅｒｒｏｒ、ＣＰＥ）、ＤＭＲＳポートグループの量、端末にスケジュールされるレイヤの量、およびＰＴＲＳポートの最大量のうちの少なくとも１つを含む。ＰＴＲＳポートの最大量は、ＰＴＲＳを送信するために端末によって使用される、ポートの最大量である。１つのＤＭＲＳポートグループは、１つまたは複数のＤＭＲＳポートを含み、すべてのＤＭＲＳポートの信号は、同じ介在無線周波数リンクから送信される。
【０２２８】
端末の共用される局所発振器情報、または端末がＰＴＲＳポートのフル構成にあるときは、各ＰＴＲＳポート上において測定されたＣＰＥ、およびＰＴＲＳポートの最大量は、端末によってネットワークデバイスに報告され得る。端末は、代替として、ＰＴＲＳポートの最大量をネットワークデバイスに報告しないことがあることが、留意されるべきである。このケースにおいては、ネットワークデバイスは、端末のために、ＰＴＲＳポートをフル構成に構成し得る。端末が、ＰＴＲＳポートの最大量をネットワークデバイスに報告するとき、ネットワークデバイスは、端末のために構成されるＰＴＲＳポートの具体的な量を決定し得る。例えば、端末が、端末によってサポートされるＰＴＲＳポートの最大量が２であることをすでに報告している場合に、スケジュールされるレイヤの量が、ＰＴＲＳポートの最大量よりも大きいとき、ネットワークデバイスは、端末のために、最大で２つだけのＰＴＲＳポートを構成し得る。これは、ＰＴＲＳオーバヘッドをさらに低減させることができる。
【０２２９】
その後、ネットワークデバイスは、ＰＴＲＳポート構成基準情報に基づいて、ＰＴＲＳを送信するために端末によって使用されるＰＴＲＳポートの量を決定する。
【０２３０】
具体的には、ネットワークデバイスが、端末の共用される局所発振器情報に基づいて、端末の複数の介在無線周波数リンクが、１つの水晶発振器ユニットを共用しないと決定し、端末にスケジュールされるレイヤの量が、ＰＴＲＳポートの最大量以下であると決定した場合、ネットワークデバイスは、端末にスケジュールされるレイヤの量を、ＰＴＲＳポートの量として決定する。
【０２３１】
ネットワークデバイスが、端末の共用される局所発振器情報に基づいて、端末の複数の介在無線周波数リンクが、１つの水晶発振器ユニットを共用しないと決定し、端末にスケジュールされるレイヤの量が、ＰＴＲＳポートの最大量よりも大きいと決定した場合、ネットワークデバイスは、ＰＴＲＳポートの最大量を、ＰＴＲＳポートの量として決定する。
【０２３２】
ネットワークデバイスが、端末の共用される局所発振器情報に基づいて、端末の複数の介在無線周波数リンクが、１つの水晶発振器ユニットを共用すると決定した場合、ネットワークは、ＰＴＲＳポートの量が、１以上、ＤＭＲＳポートグループの量以下であると決定する。ＰＴＲＳポートの具体的な量は、実際の状況に基づいて、決定され得る。例えば、ネットワークサイド上におけるすべてのＤＭＲＳポートグループの介在無線周波数リンクの位相ノイズレベルが、相対的に理想的である場合、ＰＴＲＳポートの量は、１として構成され得、ネットワークサイド上におけるすべてのＤＭＲＳポートグループの介在無線周波数リンクの位相ノイズレベルが、相対的に低い場合、ＰＴＲＳポートの量は、ＤＭＲＳポートグループの量と同じに構成され得る。ＰＴＲＳポートの量が、ＤＭＲＳポートグループの量よりも小さいとき、ＰＴＲＳポートとＤＭＲＳポートグループとの間のマッピング関係、例えば、準コロケーション（Ｑｕａｓｉ  Ｃｏ−ｌｏｃａｔｉｏｎ、ＱＣＬ）関係が、通知される、または事前定義されたルールもしくは事前合意されたルールに従って確立される必要がある。
【０２３３】
例えば、ネットワークデバイスによって決定される、ＰＴＲＳを送信するために端末によって使用されるＰＴＲＳポートの量は、表６に示され得る。
【０２３４】
【表９】
0006987154.tif 000030
【０２３５】
ＰＴＲＳを送信するために端末によって使用されるＰＴＲＳポートの量を決定した後、ネットワークデバイスは、ＰＴＲＳポートとＤＭＲＳポートグループとの間の関連付け関係に基づいて、ＰＴＲＳポートと関連付けられたＤＭＲＳポートグループを決定する。ＰＴＲＳポートとＤＭＲＳポートグループとの間の関連付け関係は、複数の方法を使用することによって、具体的に決定され得る。これは、本出願のこの実施形態においては限定されず、詳細が本明細書において説明されることはない。
【０２３６】
各ＤＭＲＳポートグループは、少なくとも１つのＤＭＲＳポートを含み、各ＤＭＲＳポートグループと関連付けられたＰＴＲＳポートの具体的な量は、実際の状況に基づいて、決定される。以下では、１つのＤＭＲＳポートグループがＰ個のＰＴＲＳポートと関連付けられる例を使用することによって、説明を提供する。別のケースについては、本明細書における説明を参照されたい。詳細がここで再び説明されることはない。Ｐは、１以上、Ｑ以下であり、Ｑは、Ｐ個のＰＴＲＳポートと関連付けられたＤＭＲＳポートグループに含まれるＤＭＲＳポートの量である。
【０２３７】
ネットワークデバイスは、関連付けルールに基づいて、Ｐ個のＰＴＲＳポートと、Ｐ個のＰＴＲＳポートと関連付けられたＤＭＲＳポートグループ内のＱ個のＤＭＲＳポートとの間の関連付け関係を決定し、ＰＴＲＳポートと、ＤＭＲＳポートグループ内のＱ個のＤＭＲＳポートとの間の関連付け関係は、ＤＭＲＳポートグループ内のＤＭＲＳポートと、ＰＴＲＳポートが、デジタルおよびアナログプリコーディング行列を含む、同じプリコーディング行列を有することを意味する。例えば、複数のＰＴＲＳポートと、ＤＭＲＳポートグループ内の複数のＤＭＲＳポートとの間の関連付け関係が、決定される。
【０２３８】
ネットワークデバイスは、Ｐ個のＰＴＲＳポートと、ＤＭＲＳポートグループ内のＱ個のＤＭＲＳポートとの間の関連付け関係を、端末に送信する。
【０２３９】
関連付けルールは、以下のうちのいずれか１つまたは複数であり得る。
【０２４０】
１つのＤＭＲＳポートグループが、複数のＰＴＲＳポートと関連付けられる場合、ＤＭＲＳポートグループと関連付けられた複数のＰＴＲＳポートのうちの第ｉのＰＴＲＳポートが、ポート番号のシーケンスに基づいて、ＤＭＲＳポートグループ内の第ｉのＤＭＲＳポートにマッピングされ、ここで、ｉ＝１、２、３、．．．である。
【０２４１】
例えば、図６は、本出願の実施形態に従った、ＤＭＲＳポートとＰＴＲＳポートとの間の関連付け関係の概略図である。図６においては、ＤＭＲＳポートグループは、ポート番号が＃１および＃２である、２つのＰＴＲＳポートと関連付けられ、ＤＭＲＳポートグループは、ポート番号が＃１および＃２である、２つのＤＭＲＳポートを含む。このケースにおいては、ＤＭＲＳポートグループ内のポート番号＃１を有するＤＭＲＳポートは、ポート番号＃１を有するＰＴＲＳポートと関連付けられ得、ＤＭＲＳポートグループ内のポート番号＃２を有するＤＭＲＳポートは、ポート番号＃２を有するＰＴＲＳポートと関連付けられ得る。
【０２４２】
１つのＤＭＲＳポートグループが、１つのＰＴＲＳポートと関連付けられる場合、ＰＴＲＳポートは、ＤＭＲＳポートグループ内で最小または最大ポート番号を有するＤＭＲＳポートにマッピングされる。
【０２４３】
例えば、図７は、本出願の実施形態に従った、ＤＭＲＳポートとＰＴＲＳポートとの間の関連付け関係の概略図である。図７においては、ＤＭＲＳポートグループは、ポート番号が＃１である、１つのＰＴＲＳポートと関連付けられ、ＤＭＲＳポートグループは、ポート番号が＃１および＃２である、２つのＤＭＲＳポートを含む。このケースにおいては、ＤＭＲＳポートグループ内のポート番号＃１を有するＤＭＲＳポートが、ＰＴＲＳポートと関連付けられ得る。当然、ＤＭＲＳポートグループ内のポート番号＃２を有するＤＭＲＳポートが、代替として、ＰＴＲＳポートと関連付けられ得る。詳細については、図８を参照されたい。
【０２４４】
１つのＤＭＲＳポートグループが、１つのＰＴＲＳポートと関連付けられる場合、ＰＴＲＳポートは、ＤＭＲＳポートグループ内で最大信号対雑音比（ｓｉｇｎａｌ−ｔｏ−ｎｏｉｓｅ  ｒａｔｉｏ、ＳＮＲ）を有するＤＭＲＳポートにマッピングされる。
【０２４５】
当然、上述の説明は、例であるにすぎない。関連付けルールは、代替として、別の形態であり得、例えば、より高位レイヤのシグナリングによって、またはＲＲＣシグナリングを使用することによって、直接的に構成され得る。例えば、ＲＲＣシグナリングが、１つのＰＴＲＳポートと、ＤＭＲＳポートグループ内のＤＭＲＳポートとの間の関連付け関係を構成するために使用され得、詳細は、本明細書においては説明されない。
【０２４６】
ネットワークデバイスが、ＤＭＲＳポートとＰＴＲＳポートとの間の関連付け関係、またはしきい値（ＭＣＳのしきい値もしくはスケジュールされた帯域幅のしきい値）を、端末に送信するとき、ＤＭＲＳポートとＰＴＲＳポートとの間の関連付け関係、またはしきい値は、以下の方式のうちのいずれかで示され得る。
【０２４７】
（１）明示的な表示：ＤＭＲＳポートとＰＴＲＳポートとの間の関連付け関係は、より高位レイヤのシグナリング、無線リソース制御（Ｒａｄｉｏ  Ｒｅｓｏｕｒｃｅ  Ｃｏｎｔｒｏｌ、ＲＲＣ）シグナリング、もしくはダウンリンク制御情報（Ｄｏｗｎｌｉｎｋ  Ｃｏｎｔｒｏｌ  Ｉｎｆｏｒｍａｔｉｏｎ、ＤＣＩ）シグナリングを使用することによって、もしくはブロードキャスティングを通して、端末に明示的に通知され、または関連付け関係は、事前定義される。明示的な通知は、端末に基づき得、またはセルに基づき得る。表示内容は、具体的なＰＴＲＳプレゼンス／パターン／ポート情報であり得、または合意された方法に従った（事前定義された、もしくは以前の）調整値であり得る。
【０２４８】
ネットワークデバイスが、ＤＭＲＳポートとＰＴＲＳポートとの間の関連付け関係を明示的に示すとき、ＤＭＲＳポートとＰＴＲＳポートとの間の示される関連付け関係は、関連付けルールに基づいて決定され得、または別の方式でネットワークデバイスによって決定され得ることが、留意されるべきである。この方式においては、ＰＴＲＳポートは、より良好な追跡性能を達成するために、より高い信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）を有するレイヤにマッピングされることができる。
【０２４９】
（２）暗黙的な表示：関連付けルールは、より高位レイヤのシグナリング、ＲＲＣシグナリング、もしくはＤＣＩシグナリングを使用することによって、もしくはブロードキャスティングを通して、端末に通知され得、または関連付けルールは、事前定義され得る。関連付けルールは、端末に基づき得、またはセルに基づき得る。表示内容は、関連付けルールもしくはしきい値であり得、または合意された方法に従った調整値であり得る。
【０２５０】
（３）暗黙的な表示と組み合わされた明示的な表示：関連付けルールまたはしきい値が、より高位レイヤのシグナリング、ＲＲＣシグナリング、もしくはＤＣＩシグナリングを使用することによって、もしくはブロードキャスティングを通して、示されること、または関連付けルールまたはしきい値が、事前定義されることに基づいて、ネットワークサイドおよび端末は、ＭＣＳ、帯域幅、サブキャリア間隔、ＭＣＳとトランスポートブロックサイズシーケンス番号との間のマッピング関係、ＭＣＳと変調次数との間のマッピング関係、端末の能力、スケジュールされたレイヤの量、および符号語の量などを使用することによって、暗黙的な関連付けルールに基づいて、ＰＴＲＳプレゼンス／パターン／ポート情報を決定する。加えて、ＰＴＲＳプレゼンス／パターン／ポート情報は、より高位レイヤのシグナリング、ＲＲＣシグナリング、またはＤＣＩシグナリングを使用することによって、明示的または暗黙的に構成される。構成された内容は、ＰＴＲＳプレゼンス／パターン／ポート情報の調整値であり得る。
【０２５１】
同じ技術的アイデアに基づいて、本出願の実施形態は、通信装置をさらに提供する。装置は、上述の方法実施形態を実行し得る。
【０２５２】
図９は、本出願の実施形態に従った、通信装置９００の概略構造図である。装置９００は、端末または別のデバイスであり得る。
【０２５３】
図９を参照すると、装置９００は、
変調符号化方式ＭＣＳおよびスケジュールされた帯域幅のうちの少なくとも一方に基づいて、位相追跡基準信号ＰＴＲＳパターンを決定するように構成された処理ユニット９０１であって、ＰＴＲＳパターンは、１つまたは複数のＰＴＲＳチャンクを含み、各ＰＴＲＳチャンクは、１つまたは複数のＰＴＲＳサンプルを含む、処理ユニット９０１と、
ＰＴＲＳを１つまたは複数のシンボルにマッピングし、１つまたは複数のシンボルを第２のデバイスに送信するように構成された送受信機ユニット９０２と
を含む。
【０２５４】
代替として、装置９００は、
以下のパラメータのうちの、すなわち、
シンボル間ＰＴＲＳ時間領域密度、シンボル内ＰＴＲＳチャンク（ｃｈｕｎｋ）密度、ＰＴＲＳサンプル（ｓａｍｐｌｅ）の量、ＰＴＲＳチャンクに含まれるＰＴＲＳサンプルの量、およびシンボル内におけるＰＴＲＳチャンクの分配ロケーション
のうちの少なくとも１つまたは複数に基づいて、位相追跡基準信号ＰＴＲＳパターンを決定するように構成された処理ユニット９０１と、
ＰＴＲＳを１つまたは複数のシンボルにマッピングし、１つまたは複数のシンボルを第２のデバイスに送信するように構成された送受信機ユニット９０２と
を含む。
【０２５５】
任意選択で、送受信機ユニット９０２は、シンボル内ＰＴＲＳチャンク密度およびＰＴＲＳサンプルの量を示すために使用される情報を、第２のデバイスから受信するようにさらに構成される。
【０２５６】
任意選択で、処理ユニット９０１は、変調符号化方式ＭＣＳとシンボル間ＰＴＲＳ時間領域密度との間のマッピング関係についての情報に基づいて、シンボル間ＰＴＲＳ時間領域密度を決定するようにさらに構成される。
【０２５７】
任意選択で、処理ユニット９０１は、
ＭＣＳおよびスケジュールされた帯域幅のうちの少なくとも一方と関連付けられた、ＰＴＲＳチャンク密度およびＰＴＲＳチャンクに含まれるＰＴＲＳサンプルの量を、第１の関連付けルールから決定し、ＭＣＳおよびスケジュールされた帯域幅のうちの少なくとも一方と関連付けられた、ＰＴＲＳチャンク密度およびＰＴＲＳチャンクに含まれるＰＴＲＳサンプルの量を、ＰＴＲＳパターンに関する、ＰＴＲＳチャンク密度およびＰＴＲＳチャンクに含まれるＰＴＲＳサンプルの量として決定し、ここで、第１の関連付けルールが、ＭＣＳおよびスケジュールされた帯域幅のうちの少なくとも一方と、ＰＴＲＳチャンク密度およびＰＴＲＳチャンクに含まれるＰＴＲＳサンプルの量との間の関連付け関係である
ように特に構成される。
【０２５８】
任意選択で、処理ユニット９０１は、
位相ノイズレベル、サブキャリア間隔、および周波数のうちの少なくとも１つに基づいて、ＭＣＳのしきい値、および／またはスケジュールされた帯域幅のしきい値
を決定する
ように特に構成される。
【０２５９】
任意選択で、送受信機ユニット９０２は、位相ノイズレベル、サブキャリア間隔、および周波数のうちの少なくとも１つを、第２のデバイスにフィードバックするようにさらに構成される。
【０２６０】
通信装置９００によって実行されることができる他の内容については、上述の説明を参照されたい。詳細がここで再び説明されることはない。
【０２６１】
ユニットの上述の分割は、論理的機能分割にすぎないことが、理解されるべきである。実際の実装においては、ユニットのいくつかまたはすべては、１つの物理的エンティティに統合され得、または物理的に分離され得る。本出願のこの実施形態においては、送受信機ユニット９０２は、送受信機によって実施され得、処理ユニット９０１は、プロセッサによって実施され得る。図１０に示されるように、通信装置１０００は、プロセッサ１００１と、送受信機１００２と、メモリ１００３とを含み得る。メモリ１００３は、通信装置１０００の納入時にプレインストールされているプログラム／コードを記憶するように構成され得、またはプロセッサ１００１によって実行されるコードなどを記憶するように構成され得る。
【０２６２】
同じ技術的アイデアに基づいて、本出願の実施形態は、通信装置をさらに提供する。装置は、上述の方法実施形態を実行し得る。
【０２６３】
図１８は、本出願の実施形態に従った、通信装置１８００の概略構造図である。装置１８００は、ネットワークデバイスであり得る。
【０２６４】
図１８を参照すると、装置１８００は、
１つまたは複数のシンボルを受信するように構成された送受信機ユニット１８０２であって、位相追跡基準信号ＰＴＲＳが、１つまたは複数のシンボルにマッピングされ、ＰＴＲＳパターンは、１つまたは複数のＰＴＲＳチャンクを含み、各ＰＴＲＳチャンクは、１つまたは複数のＰＴＲＳサンプルを含む、送受信機ユニット１８０２と、
１つまたは複数のシンボルから、位相追跡基準信号ＰＴＲＳパターンを決定するように構成された処理ユニット１８０１と
を含む。
【０２６５】
任意選択で、処理ユニット１８０１は、変調符号化方式ＭＣＳおよびスケジュールされた帯域幅のうちの少なくとも一方に基づいて、位相追跡基準信号ＰＴＲＳパターンを決定するように構成される。
【０２６６】
任意選択で、処理ユニット１８０１は、以下のパラメータのうちの、すなわち、
シンボル間ＰＴＲＳ時間領域密度、シンボル内ＰＴＲＳチャンク（ｃｈｕｎｋ）密度、およびＰＴＲＳサンプル（ｓａｍｐｌｅ）の量
のうちの少なくとも１つに基づいて、位相追跡基準信号ＰＴＲＳパターンを決定するように構成される。
【０２６７】
任意選択で、送受信機ユニット１８０２は、シンボル内ＰＴＲＳチャンク密度、およびＰＴＲＳサンプルの量を送信するようにさらに構成される。
【０２６８】
通信装置１８００によって実行されることができる他の内容については、上述の説明を参照されたい。詳細がここで再び説明されることはない。
【０２６９】
ユニットの上述の分割は、論理的機能分割にすぎないことが、理解されるべきである。実際の実装においては、ユニットのいくつかまたはすべては、１つの物理的エンティティに統合され得、または物理的に分離され得る。本出願のこの実施形態においては、送受信機ユニット１８０２は、送受信機によって実施され得、処理ユニット１８０１は、プロセッサによって実施され得る。図１０に示されるように、通信装置１０００は、プロセッサ１００１と、送受信機１００２と、メモリ１００３とを含み得る。メモリ１００３は、通信装置１０００の納入時にプレインストールされているプログラム／コードを記憶するように構成され得、またはプロセッサ１００１によって実行されるコードなどを記憶するように構成され得る。
【０２７０】
同じ技術的アイデアに基づいて、本出願の実施形態は、通信装置をさらに提供する。装置は、上述の方法実施形態を実行し得る。
【０２７１】
図１１は、本出願の実施形態に従った、通信装置１１００の概略構造図である。
【０２７２】
図１１を参照すると、装置１１００は、プロセッサ１１０１と、送受信機１１０２と、メモリ１１０３とを含む。メモリ１１０３は、通信装置１１００の納入時にプレインストールされているプログラム／コードを記憶するように構成され得、またはプロセッサ１１０１などによって実行されるコードを記憶するように構成され得る。
【０２７３】
プロセッサ１１０１は、関連付けルールに基づいて、Ｐ個のＰＴＲＳポートと、Ｐ個のＰＴＲＳポートと関連付けられたＤＭＲＳポートグループ内のＱ個のＤＭＲＳポートとの間の関連付け関係を決定するように構成され、Ｐは、１以上、Ｑ以下であり、Ｑは、Ｐ個のＰＴＲＳポートと関連付けられたＤＭＲＳポートグループに含まれるＤＭＲＳポートの量である。
【０２７４】
送受信機１１０２は、Ｐ個のＰＴＲＳポートと、ＤＭＲＳポートグループ内のＱ個のＤＭＲＳポートとの間の関連付け関係を、端末に送信するように構成される。
【０２７５】
任意選択で、関連付けルールは、以下のうちの、すなわち、
１つのＤＭＲＳポートグループが、複数のＰＴＲＳポートと関連付けられる場合、ＤＭＲＳポートグループと関連付けられた複数のＰＴＲＳポートのうちの第ｉのＰＴＲＳポートが、ポート番号のシーケンスに基づいて、ＤＭＲＳポートグループ内の第ｉのＤＭＲＳポートにマッピングされ、ここで、ｉ＝１、２、３、．．．であり、
１つのＤＭＲＳポートグループが、１つのＰＴＲＳポートと関連付けられる場合、ＰＴＲＳポートが、ＤＭＲＳポートグループ内で最小または最大ポート番号を有するＤＭＲＳポートにマッピングされ、または
１つのＤＭＲＳポートグループが、１つのＰＴＲＳポートと関連付けられる場合、ＰＴＲＳポートが、ＤＭＲＳポートグループ内で最大信号対雑音比を有するＤＭＲＳポートにマッピングされる
のうちのいずれか１つまたは複数である。
【０２７６】
任意選択で、ＰＴＲＳポートと、ＤＭＲＳポートグループ内のＱ個のＤＭＲＳポートとの間の関連付け関係は、ＤＭＲＳポートグループ内のＤＭＲＳポートと、ＰＴＲＳポートが、同じプリコーディング行列を有することを意味する。
【０２７７】
任意選択で、送受信機１１０２は、
ＰＴＲＳポート構成基準情報を獲得することであって、ＰＴＲＳポート構成基準情報は、以下のうちの、すなわち、端末の共用される局所発振器情報、または端末がＰＴＲＳポートのフル構成にあるときは、各ＰＴＲＳポート上において測定された共通位相誤差、ＤＭＲＳポートグループの量、端末にスケジュールされるレイヤの量、およびＰＴＲＳポートの最大量のうちの少なくとも１つを含む、獲得すること
を行うようにさらに構成される。
【０２７８】
プロセッサ１１０１は、ＰＴＲＳポート構成基準情報に基づいて、ＰＴＲＳを送信するために端末によって使用されるＰＴＲＳポートの量を決定するようにさらに構成される。
【０２７９】
任意選択で、プロセッサ１１０１は、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量以下であると決定された場合、端末にスケジュールされるレイヤの量を、ＰＴＲＳポートの量として決定し、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量よりも大きいと決定された場合、ＰＴＲＳポートの最大量を、ＰＴＲＳポートの量として決定し、または
端末の共用される局所発振器情報に基づいて、端末の複数の介在無線周波数リンクが、１つの水晶発振器ユニットを共用すると決定された場合、ＰＴＲＳポートの量は、１以上、ＤＭＲＳポートグループの量以下であると決定する
ように特に構成される。
【０２８０】
同じ技術的アイデアに基づいて、本出願の実施形態は、通信装置をさらに提供する。装置は、上述の方法実施形態を実行し得る。
【０２８１】
図１２は、本出願の実施形態に従った、通信装置１２００の概略構造図である。
【０２８２】
図１２を参照すると、装置１２００は、
関連付けルールに基づいて、Ｐ個のＰＴＲＳポートと、Ｐ個のＰＴＲＳポートと関連付けられたＤＭＲＳポートグループ内のＱ個のＤＭＲＳポートとの間の関連付け関係を決定するように構成されたプロセッサ１２０１であって、Ｐは、１以上、Ｑ以下であり、Ｑは、Ｐ個のＰＴＲＳポートと関連付けられたＤＭＲＳポートグループに含まれるＤＭＲＳポートの量である、処理ユニット１２０１と、
Ｐ個のＰＴＲＳポートと、ＤＭＲＳポートグループ内のＱ個のＤＭＲＳポートとの間の関連付け関係を、端末に送信するように構成された送受信機ユニット１２０２と
を含む。
【０２８３】
任意選択で、関連付けルールは、以下のうちの、すなわち、
１つのＤＭＲＳポートグループが、複数のＰＴＲＳポートと関連付けられる場合、ＤＭＲＳポートグループと関連付けられた複数のＰＴＲＳポートのうちの第ｉのＰＴＲＳポートが、ポート番号のシーケンスに基づいて、ＤＭＲＳポートグループ内の第ｉのＤＭＲＳポートにマッピングされ、ここで、ｉ＝１、２、３、．．．であり、
１つのＤＭＲＳポートグループが、１つのＰＴＲＳポートと関連付けられる場合、ＰＴＲＳポートが、ＤＭＲＳポートグループ内で最小または最大ポート番号を有するＤＭＲＳポートにマッピングされ、または
１つのＤＭＲＳポートグループが、１つのＰＴＲＳポートと関連付けられる場合、ＰＴＲＳポートが、ＤＭＲＳポートグループ内で最大信号対雑音比を有するＤＭＲＳポートにマッピングされる
のうちのいずれか１つまたは複数である。
【０２８４】
任意選択で、ＰＴＲＳポートと、ＤＭＲＳポートグループ内のＱ個のＤＭＲＳポートとの間の関連付け関係は、ＤＭＲＳポートグループ内のＤＭＲＳポートと、ＰＴＲＳポートが、同じプリコーディング行列を有することを意味する。
【０２８５】
任意選択で、送受信機ユニット１２０２は、
ＰＴＲＳポート構成基準情報を獲得することであって、ＰＴＲＳポート構成基準情報は、以下のうちの、すなわち、端末の共用される局所発振器情報、または端末がＰＴＲＳポートのフル構成にあるときは、各ＰＴＲＳポート上において測定された共通位相誤差、ＤＭＲＳポートグループの量、端末にスケジュールされるレイヤの量、およびＰＴＲＳポートの最大量のうちの少なくとも１つを含む、獲得すること
を行うようにさらに構成される。
【０２８６】
処理ユニット１２０１は、ＰＴＲＳポート構成基準情報に基づいて、ＰＴＲＳを送信するために端末によって使用されるＰＴＲＳポートの量を決定するようにさらに構成される。
【０２８７】
任意選択で、処理ユニット１２０１は、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量以下であると決定された場合、端末にスケジュールされるレイヤの量を、ＰＴＲＳポートの量として決定し、
端末の共用される局所発振器情報に基づいて、端末の複数の介在無線周波数リンクが、１つの水晶発振器ユニットを共用しないと決定され、また端末にスケジュールされるレイヤの量が、ＰＴＲＳポートの最大量よりも大きいと決定された場合、ＰＴＲＳポートの最大量を、ＰＴＲＳポートの量として決定し、または
端末の共用される局所発振器情報に基づいて、端末の複数の介在無線周波数リンクが、１つの水晶発振器ユニットを共用すると決定された場合、ＰＴＲＳポートの量は、１以上、ＤＭＲＳポートグループの量以下であると決定する
ように特に構成される。
【０２８８】
本出願の実施形態は、上述のプロセッサによって実行される必要がある、コンピュータソフトウェア命令を記憶するように構成された、コンピュータ可読記憶媒体をさらに提供する。コンピュータソフトウェア命令は、上述のプロセッサによって実行される必要がある、プログラムを含む。
【０２８９】
当業者は、本出願の実施形態が、方法、システム、またはコンピュータプログラム製品として提供され得ることを理解すべきである。したがって、本出願は、ハードウェアのみの実施形態、ソフトウェアのみの実施形態、またはソフトウェアとハードウェアの組み合わせを用いる実施形態の形態を使用し得る。さらに、本出願は、コンピュータ使用可能プログラムコードを含む、（磁気ディスクメモリおよび光メモリを含むが、それらに限定されない）１つまたは複数のコンピュータ使用可能記憶媒体上において実施される、コンピュータプログラム製品の形態を使用し得る。
【０２９０】
本出願は、本出願に従った、方法、デバイス（システム）、およびコンピュータプログラム製品についての、フローチャートおよび／またはブロック図を参照して、説明された。コンピュータプログラム命令は、フローチャートおよび／またはブロック図における各手順および／または各ブロック、ならびにフローチャートおよび／またはブロック図における手順および／またはブロックの組み合わせを実施するために使用され得ることが、理解されるべきである。これらのコンピュータプログラム命令は、汎用コンピュータ、専用コンピュータ、組み込むプロセッサ、または別のプログラマブルデータ処理デバイスのプロセッサに、マシンを生成するために提供され得、コンピュータ、または別のプログラマブルデータ処理デバイスのプロセッサによって実行される命令が、フローチャート内の１つもしくは複数の手順において、および／またはブロック図内の１つもしくは複数のブロックにおいて指定された機能を実施するための装置を生成する。
【０２９１】
コンピュータまたは別のプログラマブルデータ処理デバイスに特定の方式で動作するように命令することができる、これらのコンピュータプログラム命令は、代替として、コンピュータ可読メモリ内に記憶され得、コンピュータ可読メモリ内に記憶された命令が、命令装置を含む人工物を生成する。命令装置は、フローチャート内の１つもしくは複数の手順において、および／またはブロック図内の１つもしくは複数のブロックにおいて指定された機能を実施する。
【０２９２】
これらのコンピュータプログラム命令は、代替として、コンピュータまたは別のプログラマブルデータ処理デバイス上にロードされ得、コンピュータ実施される処理を生成するために、一連の操作およびステップが、コンピュータまたは別のプログラマブルデバイス上において実行される。したがって、コンピュータまたは別のプログラマブルデバイス上において実行される命令は、フローチャート内の１つもしくは複数の手順において、および／またはブロック図内の１つもしくは複数のブロックにおいて指定された機能を実施するためのステップを提供する。
【０２９３】
明らかに、当業者は、本出願の主旨および範囲から逸脱することなく、本出願に様々な変更および変形を施し得る。本出願のこれらの変更および変形が、本出願の特許請求の範囲およびそれらの技術的均等物によって確定される範囲内にある限り、本出願は、これらの変更および変形を包含することが意図されている。
【図１】
0006987154.tif 000031
【図２】
0006987154.tif 000032
【図３】
0006987154.tif 000033
【図４】
0006987154.tif 000034
【図５】
0006987154.tif 000035
【図６】
0006987154.tif 000036
【図７】
0006987154.tif 000037
【図８】
0006987154.tif 000038
【図９】
0006987154.tif 000039
【図１０】
0006987154.tif 000040
【図１１】
0006987154.tif 000041
【図１２】
0006987154.tif 000042
【図１３】
0006987154.tif 000043
【図１４】
0006987154.tif 000044
【図１５】
0006987154.tif 000045
【図１６】
0006987154.tif 000046
【図１７】
0006987154.tif 000047
【図１８】
0006987154.tif 000048